(57)【要約】【課題】被検体モデルの形状の精度と皮膚被曝線量の表示範囲の精度とを向上させることが可能な医用画像診断装置の提供。【解決手段】本実施形態に係る医用画像診断装置は、Ｘ線管１３と、Ｘ線検出器１５と、画像発生回路２５と、ディスプレイ４１と、補正回路３９とを有する。Ｘ線管１３は、被検体に対してＸ線を発生する。Ｘ線検出器１５は、Ｘ線を検出する。画像発生回路２５は、検出されたＸ線に基づくＸ線画像を発生する。ディスプレイ４１は、被検体を示す被検体画像上に、Ｘ線による被曝線量を表示する。補正回路３９は、Ｘ線画像に基づいて、被検体画像上における被曝線量の表示範囲と被検体画像との相対的な位置関係を補正する。【選択図】図１
2017023695.tif 000002
【特許請求の範囲】
【請求項１】
被検体に対してＸ線を発生するＸ線管と、
前記Ｘ線を検出するＸ線検出器と、
前記検出されたＸ線に基づいて、Ｘ線画像を発生する画像発生回路と、
前記被検体を示す被検体画像上に、前記Ｘ線による前記被検体に対する被曝線量を表示するディスプレイと、
前記Ｘ線画像に基づいて、前記被検体画像上における前記被曝線量の表示範囲と前記被検体画像との相対的な位置関係を補正する補正回路と、
を具備する医用画像診断装置。
【請求項２】
前記補正回路は、前記Ｘ線画像における解剖学的標識点に基づいて、前記被検体画像の位置と大きさとのうち少なくともひとつを補正する請求項１に記載の医用画像診断装置。
【請求項３】
前記画像発生回路は、前記Ｘ線画像に関する撮影方向とは異なる少なくとも一つの撮影方向に対応する異方向画像を発生し、
前記補正回路は、前記異方向画像における解剖学的標識点に基づいて、前記被曝線量の表示範囲の大きさと前記被検体画像の大きさとのうち少なくともひとつを補正する請求項１または請求項２に記載の医用画像診断装置。
【請求項４】
前記Ｘ線の照射範囲と前記被曝線量の表示範囲との位置ずれを検出する検出回路と、
前記位置ずれの検出に応答して、前記Ｘ線の発生に関するＸ線発生条件と前記Ｘ線の照射範囲と前記補正された位置関係と天板に対する前記Ｘ線管の位置とに基づいて、前記被曝線量を計算する計算回路と、
をさらに具備する請求項１乃至３のうちいずれか一項に記載の医用画像診断装置。
【請求項５】
前記被曝線量の再計算に関する所定の時間間隔を入力する入力回路を更に具備し、
前記計算回路は、前記位置ずれの検出時刻から前記時間間隔だけ遡った時刻から前記検出時刻までの前記被曝線量を再計算する請求項４に記載の医用画像診断装置。
【請求項６】
前記被検体画像は、前記被検体を模式的に示す３次元的な被検体モデルであって、解剖学的標識点を有し、
前記補正回路は、前記Ｘ線画像における解剖学的標識点と前記被検体モデルにおける解剖学的標識点とに基づいて、前記被検体画像の位置と大きさとのうち少なくともひとつを補正する請求項１乃至５のうちいずれか一項に記載の医用画像診断装置。
【請求項７】
前記Ｘ線画像における所定臓器に関する前記解剖学的標識点と、前記被検体モデルにおける前記所定臓器に関する前記解剖学的標識点との位置ずれを検出する検出回路と、
前記位置ずれの検出に応答して、前記位置ずれに基づいて補正された前記位置関係と前記Ｘ線の照射範囲と前記Ｘ線の発生に関するＸ線発生条件と天板に対する前記Ｘ線管の位置とに基づいて、前記被曝線量を計算する計算回路と、
をさらに具備する請求項６に記載の医用画像診断装置。
【請求項８】
前記補正回路は、前記位置ずれに基づいて前記被検体モデルを回転させることにより、前記被検体モデルの位置と大きさとのうち少なくともひとつを補正する請求項７に記載の医用画像診断装置。
【請求項９】
前記被検体画像として前記被検体を模式的に示す３次元的な複数の被検体モデルを記憶する記憶回路と、
前記Ｘ線画像と前記被検体画像とに基づいて、前記複数の被検体モデルから前記被検体のサイズに整合する被検体モデルを前記被検体画像として特定する特定回路と、
前記被検体モデルの特定に応答して、前記特定された被検体モデルと前記Ｘ線の照射範囲と前記Ｘ線の発生に関するＸ線発生条件と前記補正された位置関係と天板に対する前記Ｘ線管の位置とに基づいて、前記被検体に対するＸ線検査において、現時刻より過去の前記被曝線量を再計算する計算回路と、
をさらに具備する請求項１乃至８のうちいずれか一項に記載の医用画像診断装置。
【請求項１０】
前記被検体のサイズは、前記被検体の外形に対応する請求項９に記載の医用画像診断装置。
【請求項１１】
前記被検体画像として、被検体を模式的に示す３次元的な複数の被検体モデルを記憶する記憶回路と、
前記被検体モデルの変更を入力する入力回路と、
前記被検体モデルの変更に応答して、前記変更された被検体モデルと前記Ｘ線の照射範囲と前記Ｘ線の発生に関するＸ線発生条件と前記補正された位置関係と天板に対する前記Ｘ線管の位置とに基づいて、前記被検体に対するＸ線検査において、現時刻より過去の前記被曝線量を再計算する計算回路と、
をさらに具備する請求項１乃至１０のうちいずれか一項に記載の医用画像診断装置。
【請求項１２】
前記被検体を模式的に示す３次元的な複数の被検体モデルと、複数の患者各々に対応する過去のボリュームデータとを記憶する記憶回路と、
前記過去のボリュームデータにおいて、前記被検体に関する過去のボリュームデータの変更指示を入力する入力回路と、
前記変更指示に対応するボリュームデータと前記被検体画像とに基づいて、前記複数の被検体モデルから前記被検体の外形に整合する被検体モデルを前記被検体画像として特定する特定回路と、
前記特定された被検体モデルと前記Ｘ線の照射範囲と前記Ｘ線の発生に関するＸ線発生条件と前記補正された位置関係と天板に対する前記Ｘ線管の位置とに基づいて、前記被検体に対するＸ線検査において、現時刻より過去の前記被曝線量を再計算する計算回路と、
をさらに具備する請求項１乃至１１のうちいずれか一項に記載の医用画像診断装置。
【請求項１３】
前記画像発生回路は、前記Ｘ線管と前記Ｘ線検出器とを互いに対向させて前記被検体周りに回転させることにより収集された複数のＸ線画像に基づいてボリュームデータを発生し、
前記被検体画像として前記被検体を模式的に示す３次元的な複数の被検体モデルを記憶する記憶回路と、
前記ボリュームデータと前記被検体画像とに基づいて、前記複数の被検体モデルから前記被検体の外形に整合する被検体モデルを前記被検体画像として特定する特定回路と、
前記被検体モデルの特定に応答して、前記特定された被検体モデルと前記Ｘ線の照射範囲と前記Ｘ線の発生に関するＸ線発生条件と前記補正された位置関係と天板に対する前記Ｘ線管の位置とに基づいて、前記被検体に対するＸ線検査において、現時刻より過去の前記被曝線量を再計算する計算回路と、
をさらに具備する請求項１乃至１２のうちいずれか一項に記載の医用画像診断装置。
【請求項１４】
前記画像発生回路は、
前記被検体のボリュームデータに基づいて、前記被検体に関する実測データを有する３次元的な実測画像を、前記被検体画像として発生し、
前記ディスプレイは、前記実測画像の発生に応答して、前記被検体画像を前記実測画像に置換して表示し、
前記補正回路は、前記ボリュームデータに基づいて、前記実測画像上における前記被曝線量の表示範囲と前記実測画像との相対的な位置関係を補正する請求項１乃至１３のうちいずれか一項に記載の医用画像診断装置。
【請求項１５】
前記実測画像の発生に応答して、前記Ｘ線の発生に関するＸ線発生条件と前記Ｘ線の照射範囲と前記実測画像と前記補正された位置関係と天板に対する前記Ｘ線管の位置とに基づいて、前記被検体に対するＸ線検査において、現時刻より過去の前記被曝線量を再計算する計算回路をさらに具備する請求項１４に記載の医用画像診断装置。
【請求項１６】
前記画像発生回路は、前記実測画像が前記被検体の一部分を示す画像である場合、前記一部分とは異なる他の部分を示す３次元的な被検体モデルと前記実測画像とを結合した結合画像を、前記被検体画像として発生し、
前記ディスプレイは、前記結合画像の発生に応答して、前記被検体画像を前記結合画像に置換して表示する請求項１５に記載の医用画像診断装置。
【請求項１７】
前記ボリュームデータは、
前記被検体に対するＸ線コンピュータ断層撮影または磁気共鳴イメージングにより再構成されたデータと、
前記Ｘ線管と前記Ｘ線検出器とを互いに対向させて支持するサポートフレームを前記被検体周りに回転させることにより収集された複数のＸ線画像に基づいて再構成されたデータと、
のうち少なくとも一つである請求項１５に記載の医用画像診断装置。
【請求項１８】
前記Ｘ線画像は、前記画像発生回路により順次発生されるリアルタイムの透視画像である請求項１に記載の医用画像診断装置。
【請求項１９】
前記被曝線量は、前記被検体における皮膚被曝線量である請求項１乃至１８のうちいずれか一項に記載の医用画像診断装置。
【請求項２０】
被検体に対するＸ線の発生に関するＸ線発生条件と、前記被検体に対する前記Ｘ線の照射範囲と、天板に対するＸ線管の位置と、前記被検体を示す被検体画像上における被曝線量の表示範囲と前記被検体画像との相対的な位置関係と、前記被検体に対するＸ線検査の後に取得されたボリュームデータとを記憶する記憶回路と、
前記ボリュームデータを用いて、前記位置関係を補正する補正回路と、
前記Ｘ線発生条件と、前記照射範囲と、前記補正された位置関係と、前記Ｘ線管の位置とに基づいて、前記Ｘ線検査が実行された期間に亘って前記被曝線量を再計算する計算回路と、
前記期間に亘って、前記補正された位置関係を用いて、前記被検体画像上に前記再計算された被曝線量を重畳して動画表示するディスプレイと、
を具備する医用画像診断装置。
【発明の詳細な説明】
【技術分野】
【０００１】
本発明の実施形態は、医用画像診断装置に関する。
【背景技術】
【０００２】
Ｘ線診断装置を用いた診断・治療において、患者は、Ｘ線により被曝する。患者に対するＸ線の被曝量および被曝の分布を可視化する技術がある。この技術により、医師は、患者に対する皮膚被曝線量をモニタリングしながら、手術およびＸ線撮影ができるようになる。この結果、医師は、患者に対する被曝を意識して手術するようになるため、患者に対する総被曝量の低減と、局所被曝量の低減とを実現することができる。上記技術において、装置は、Ｘ線源の位置と、Ｘ線検出器の位置と、寝台の位置とは把握しているが、寝台のどの位置に患者が載置されているか認識できない。このため、患者の形状、位置を推定、もしくは測定する必要がある。
【０００３】
上記技術の実施において、まず、Ｘ線診断装置における寝台上に患者が載置される。次いで、患者に最も適合していると思われるモデルが、データベースから手動で（あるいは体重や身長情報を参照して半自動で）選択される。データベースには、規定のモデルが多数登録されている。すなわち、上記技術の実施において、上記技術で用いられるモデルが複数の規定モデルのなかから選択されることが想定されている。また、選択されたモデルの位置とＸ線診断装置の位置とは、手動で位置あわせされる。
【０００４】
しかしながら、モデルは有限であり、選択間違いの発生の可能性もあるため、モデルと実際の患者との形状の相違が、そのまま皮膚被曝線量の測定誤差になる問題がある。加えて、患者の体型の変化、寝台上の患者の位置の正確な把握の困難性、Ｘ線検査中における患者が動き等により、患者に対する実際の照射範囲と、モデル上での被曝位置とがズレていた場合、皮膚被曝線量の誤差が発生する問題点がある。
【０００５】
そこで、上記技術における皮膚被曝線量の表示および計算において、モデルではなく、実際の患者の体形に適合する形状と、Ｘ線診断装置に対する患者の位置とを用いることが期待されている。例えば、実際の患者の体形を測定するため、およびＸ線診断装置における患者の位置を特定するために、ビデオカメラを用いたり、各種センサなどを寝台上に設置したりする方法がある。
【０００６】
しかしながら、ビデオカメラを用いた場合、被検体を覆うドレープなどのカバーにより患者がビデオに映らない場合がある。このとき、患者の正確な形状をとらえることはできない。また、ビデオカメラとして赤外線カメラを用いたとしても、１台のカメラでは１方向しか、患者の正確な形状がわからない問題がある。
【０００７】
また、センサを用いた場合であっても、患者の形状の検出には限界がある。センサとして、例えば、圧力センサ、接触センサ、静電容量センサ、温度センサなどが用いられたとしても、患者の一部が寝台から浮いていたりすることなどの要因により、センチ単位でのずれが発生してしまう問題がある。
【先行技術文献】
【特許文献】
【０００８】
【特許文献１】特開２０００−１５２９２４号公報
【特許文献２】特開２０１５−１００４１６号公報
【発明の概要】
【発明が解決しようとする課題】
【０００９】
実施形態の目的は、被検体モデルの形状の精度と皮膚被曝線量の表示範囲の精度とを向上させることが可能な医用画像診断装置を提供することにある。
【課題を解決するための手段】
【００１０】
本実施形態に係る医用画像診断装置は、Ｘ線管と、Ｘ線検出器と、画像発生回路と、ディスプレイと、補正回路とを具備する。Ｘ線管は、被検体に対してＸ線を発生する。Ｘ線検出器は、Ｘ線を検出する。画像発生回路は、検出されたＸ線に基づいて、Ｘ線画像を発生する。ディスプレイは、被検体を示す被検体画像上に、Ｘ線による被検体に対する被曝線量を表示する。補正回路は、Ｘ線画像に基づいて、被検体画像上における被曝線量の表示範囲と被検体画像との相対的な位置関係を補正する。
【図面の簡単な説明】
【００１１】
【図１】図１は、第１の実施形態に係るＸ線診断装置の構成を示す図である。
【図２】図２は、第１の実施形態に係り、男性に関する複数の被検体モデルを示す図である。
【図３】図３は、第１の実施形態に係る他の被検体モデルを示す図である。
【図４】図４は、第１の実施形態に係る他の被検体モデルを示す図である。
【図５】図５は、第１の実施形態に係る他の被検体モデルを示す図である。
【図６】図６は、第１の実施形態に係り、位置ずれ補正処理に係る処理手順の一例を示すフローチャートである。
【図７】図７は、第１の実施形態に係り、被検体に対するＸ線の曝射に伴って発生されたＸ線画像および線量画像と、補正された相対的な位置関係を用いて被検体モデルを移動させた線量画像とを示す図である。
【図８】図８は、第１の実施形態に係り、被検体に対するＸ線の曝射に伴って発生されたＸ線画像および線量画像と、補正された相対的な位置関係を用いて被検体モデルを移動させた線量画像とを示す図である。
【図９】図９は、第１の実施形態の第３の変形例に係る線量再計算処理の手順を示すフローチャートである。
【図１０】図１０は、第１の本実施形態の第４の変形例に係る線量再計算処理の手順を示すフローチャートである。
【図１１】図１１は、第１の本実施形態の第４の変形例に係り、ボリュームデータおよび被検体モデルと、部分実測モデルとを示す図である。
【図１２】図１２は、第２の実施形態に係るＸ線診断装置に係る構成の一例を示す構成図である。
【図１３】図１３は、第３の実施形態に係り、再計算動画処理の手順の一例を示すフローチャートである。
【発明を実施するための形態】
【００１２】
本実施形態に係る医用画像診断装置は、Ｘ線管と、Ｘ線検出器と、画像発生回路と、ディスプレイと、補正回路とを有する。Ｘ線管は、被検体に対してＸ線を発生する。Ｘ線検出器は、Ｘ線を検出する。画像発生回路は、検出されたＸ線に基づくＸ線画像を発生する。ディスプレイは、被検体を示す被検体画像上に、Ｘ線による被検体に対する被曝線量を表示する。補正回路は、Ｘ線画像に基づいて、被検体画像上における被曝線量の表示範囲と被検体画像との相対的な位置関係を補正する。
【００１３】
（第１の実施形態）  
以下、図面を参照しながら第１の実施形態に係る医用画像診断装置の一例として、Ｘ線診断装置を説明する。なお、以下の説明において、略同一の機能及び構成を有する構成要素については、同一符号を付し、重複説明は必要な場合に行う。
【００１４】
図１は、本実施形態に係るＸ線診断装置１の構成を示す構成図である。Ｘ線診断装置１は、高電圧発生器１１と、Ｘ線管１３と、Ｘ線検出器１５と、サポートフレーム１７と、照射野限定器１９と、天板２１を有する図示していない寝台と、寝台と天板２１とサポートフレーム１７とを駆動する駆動装置（駆動部）２３と、画像発生回路（画像発生部）２５と、データバス２６と、インターフェース（インターフェース部）２７と、入力回路（入力部）２９と、制御回路（制御部）３１と、記憶回路（記憶部）３３と、計算回路（計算部）３５と、検出回路（検出部）３７と、補正回路（補正部）３９と、ディスプレイ（表示部）４１とを有する。
【００１５】
高電圧発生器１１は、Ｘ線管１３に供給する管電流と、Ｘ線管１３に印加する管電圧とを発生する。例えば、高電圧発生器１１は、管電流と管電圧とを発生する高電圧発生回路、Ｘ線管１３の陰極フィラメントにフィラメント電流を供給するフィラメント電流発生器等を有する。高電圧発生器１１は、制御回路３１による制御のもとで、後述するＸ線発生条件に従って、Ｘ線撮影およびＸ線透視にそれぞれ適した管電流をＸ線管１３に供給し、Ｘ線撮影およびＸ線透視各々にそれぞれ適した管電圧をＸ線管１３に印加する。
【００１６】
Ｘ線発生条件とは、例えば、Ｘ線照射ごとの管電流、管電圧、照射時間、管電流（ｍＡ）と照射時間（ｓ）との積（以下、管電流時間積（ｍＡｓ）と呼ぶ）などである。なお、高電圧発生器１１は、時間的に連続してＸ線管１３に管電圧を印加する方式でもよいし、高電圧のスイッチングによりパルス状の高電圧をＸ線管１３に印加する方式であってもよい。
【００１７】
Ｘ線管１３は、高電圧発生器１１からの出力により、被検体Ｐに対してＸ線を発生する。具体的には、Ｘ線管１３は、高電圧発生器１１から供給された管電流と、高電圧発生器１１により印加された管電圧とに基づいて、Ｘ線の焦点（以下、管球焦点と呼ぶ）において、Ｘ線を発生する。管球焦点から発生されたＸ線は、Ｘ線管１３の前面に設けられたＸ線放射窓を介して、被検体Ｐに照射される。Ｘ線の放射範囲は、図１において点線１４で示されている。本実施形態におけるＸ線管１３は、回転陽極型のＸ線管であるとして説明する。なお、固定陽極型Ｘ線管などの他の型のＸ線管でも本実施形態に適用可能である。
【００１８】
Ｘ線管１３は、陰極フィラメントと回転式の陽極ターゲットとを有する。Ｘ線管１３は、円盤状の陽極ターゲットを、相互間に軸受を有する回転体および固定体で機械的に支える。Ｘ線管１３は、真空容器外の回転体の位置に対応した位置に配置されたステータの電磁コイルに回転駆動力を供給することで、円盤状の陽極ターゲットを回転させる。
【００１９】
高電圧発生器１１のフィラメント電流発生器から供給されるフィラメント電流は、陰極フィラメントに供給される。陰極フィラメントは、所定の温度となるまでフィラメント電流により加熱される。加熱された陰極フィラメントは、電子を放出する。放出された電子は、陰極フィラメントと陽極ターゲットとの間における管電圧により、陽極ターゲットに衝突する。陽極ターゲットに衝突した電子により、Ｘ線が発生される。
【００２０】
Ｘ線検出器１５は、Ｘ線管１３から発生され、被検体Ｐを透過したＸ線を検出する。例えば、Ｘ線検出器１５は、フラットパネルディテクタ（Ｆｌａｔ  Ｐａｎｅｌ  Ｄｅｔｅｃｔｏｒ：以下、ＦＰＤと呼ぶ）を有する。ＦＰＤは、複数の半導体検出素子を有する。半導体検出素子には、直接変換形と間接変換形とがある。直接変換形とは、入射Ｘ線を直接的に電気信号に変換する形式である。間接変換形とは、入射Ｘ線を蛍光体で光に変換し、変換された光を電気信号に変換する形式である。なお、Ｘ線検出器１５として、イメージインテンシファイア（Ｉｍａｇｅｉｎｔｅｎｓｉｆｉｅｒ）が用いられてもよい。
【００２１】
Ｘ線の入射に伴って複数の半導体検出素子で発生された電気信号は、図示していないアナログディジタル変換器（Ａｎａｌｏｇ  ｔｏ  Ｄｉｇｉｔａｌ  ｃｏｎｖｅｒｔｅｒ：以下、Ａ／Ｄ変換器と呼ぶ）に出力される。Ａ／Ｄ変換器は、電気信号をディジタルデータに変換する。Ａ／Ｄ変換器は、ディジタルデータを、画像発生回路２５に出力する。
【００２２】
サポートフレーム１７は、Ｘ線管１３とＸ線検出器１５とを移動可能に支持する。具体的には、サポートフレーム１７は、例えばＣアームである。Ｃアームは、Ｘ線管１３とＸ線検出器１５とを、互いに対向させて支持する。図示していない支柱は、ＣアームのＣ形状に沿う方向（以下、Ｃ方向と呼ぶ）に、例えば、ガイドレールおよび軸受等を介して、Ｃアームをスライド可能に支持する。
【００２３】
また、支柱は、例えば、ベアリング等を介して、Ｃアームを、Ｃ方向に直交する方向（以下、Ｃ直交方向と呼ぶ）に回転可能にＣアームを支持する。なお、支柱は、Ｃアームを、天板２１の短軸方向（図１のＸ方向）と長軸方向（図１のＹ方向）とに平行移動可能に、例えばベアリング等を介して、支持することも可能である。また、Ｃアームは、Ｘ線管１３における管球焦点とＸ線検出器１５の中心との距離（線源受像面間距離（Ｓｏｕｒｃｅ  Ｉｍａｇｅ  Ｄｉｓｔａｎｃｅ：以下、ＳＩＤと呼ぶ））を変更可能に、例えばガイドレールおよび直動軸受等を介して、Ｘ線管１３とＸ線検出器１５とを支持する。
【００２４】
なお、サポートフレーム１７は、Ｘ線透視時およびＸ線撮影時において、天板２１に対するＸ線管１３の位置を、計算回路３５に出力してもよい。このとき、サポートフレーム１７は、天板２１に対するＸ線管１３の位置を検出するための位置検出器を有する。
【００２５】
サポートフレーム１７として、Ｃアームの代わりにΩアームが用いられてもよい。Ωアームは、Ｘ線管１３とＸ線検出器１５とを、互いに向き合うように搭載する。Ωアームを支持するフレームは、ΩアームのΩ形状に沿う方向（以下、Ω方向と呼ぶ）に、例えば、ガイドレールおよび軸受等を介して、Ωアームをスライド可能に支持する。
【００２６】
Ωアームを支持するフレームは、例えば、本Ｘ線診断装置１が設置された検査室における天井に設けられたレールに沿って、移動可能に設置される。レールは、例えば、天板２１の長軸方向に平行に、天井に設けられる。フレームは、Ω方向に直交する方向（以下、Ω直交方向と呼ぶ）に回転可能に、例えば、ベアリング等を介して、Ωアームを支持する。なお、フレームは、天板２１の短軸方向（図１のＸ方向）と長軸方向（図１のＹ方向）とに平行移動可能に、例えばベアリング等を介して、Ωアームを支持することも可能である。また、Ωアームは、管球焦点とＸ線検出器１５との距離（ＳＩＤ）を変更可能に、例えばガイドレールおよび直動軸受等を介して、Ｘ線管１３とＸ線検出器１５とを支持する。
【００２７】
なお、本実施形態に係るＸ線診断装置１におけるサポートフレーム１７は、ＣアームおよびΩアームによる構造に限定されない。サポートフレーム１７は、例えば、Ｘ線管１３およびＸ線検出器１５をそれぞれ独立に支持する２つのアーム（例えばロボットアームなど）により、例えばベアリング、ガイドレール、直動軸受等を介して、任意の方向に移動可能に支持されてもよい。また、サポートフレーム１７は、ＣアームとΩアームとによるバイプレーン構造を有していてもよい。
【００２８】
また、本実施形態に係るＸ線診断装置１におけるサポートフレーム１７は、オーバーチューブ方式（ｏｖｅｒ  ｔｕｂｅ  ｓｙｓｔｅｍ）、およびアンダーチューブ方式（ｕｎｄｅｒ  ｔｕｂｅ  ｓｙｓｔｅｍ）などに限定されず任意の形態に適用可能である。
【００２９】
照射野限定器（ｂｅａｍ  ｌｉｍｉｔｉｎｇ  ｄｅｖｉｃｅ）１９は、Ｘ線放射窓の前面に設けられる。具体的には、照射野限定器１９は、Ｘ線放射窓を通過したＸ線の照射野（照射範囲）を限定する。照射野限定器１９、Ｘ線絞り、またはコリメータとも称される。
【００３０】
具体的には、照射野限定器１９は、管球焦点で発生されたＸ線を、操作者が所望する撮影部位以外に不要な被爆をさせないために、最大口径の照射範囲を、被検体Ｐの体表面にＸ線を照射する照射面積に応じて限定する。例えば、照射野限定器１９は、入力回路２９により入力された照射野の限定指示、または制御回路３１による制御指示に従って、制御回路３１による制御のもとで絞り羽根を移動させることにより、照射野を限定する。
【００３１】
照射野限定器１９は、例えば、所定方向に移動可能な複数の第１絞り羽根と、所定方向とは異なる方向に移動可能な複数の第２絞り羽根とを有する。第１、第２絞り羽根各々は、例えば、管球焦点で発生されたＸ線を遮蔽する鉛により構成される。
【００３２】
なお、照射野限定器１９は、被検体Ｐへの被曝線量の低減および画質の向上を目的として、Ｘ線の照射野に挿入される複数の所定のフィルタ（以下、線質調整フィルタ呼ぶ）を有していてもよい。複数の線質調整フィルタは、それぞれ異なる厚みを有する。なお、線質調整フィルタは、それぞれ異なる材質により構成され、同じ厚みを有していてもよい。線質調整フィルタは、管球焦点で発生されたＸ線の線質を厚みに応じて変更する。線質調整フィルタは、例えば、アルミニウム、銅などにより構成される。
【００３３】
なお、照射野限定器１９は、Ｘ線透視時およびＸ線撮影時において、絞り羽根により限定された照射野の情報および線質調整フィルタの情報を、計算回路３５に出力してもよい。限定された照射野の情報とは、例えば、絞りの開度、すなわち開口面積に相当する。絞りの開度は、例えば、絞りの位置を検出する位置検出器により特定される。また、線質調整フィルタの情報は、Ｘ線の照射範囲に配置される線質調整フィルタの種類、厚みなどである。
【００３４】
図示していない寝台は、被検体Ｐが載置される天板２１（臥位テーブルとも言う）を有する。天板２１には、被検体Ｐが載置される。Ｘ線透視時およびＸ線撮影時においては、Ｘ線管１３とＸ線検出器１５との間に、天板２１に載置された被検体Ｐが配置される。なお、寝台は、Ｘ線透視時およびＸ線撮影時において、天板２１の位置を、計算回路３５に出力してもよい。このとき、寝台は、天板２１の位置を特定するための位置検出器を有する。
【００３５】
駆動装置２３は、例えば、サポートフレーム１７と天板２１と寝台とを駆動する。駆動装置２３は、例えば、モータと、モータで発生した力を駆動対象の各種ユニットに伝達する伝達機構（例えば、チェーンドライブ、ベルトドライブ、ボールねじなど）とを有する。駆動装置２３は、制御回路３１からの制御信号に応じた駆動信号に従って、サポートフレーム１７をＣ方向にスライド、Ｃ直交方向に回転させる。駆動装置２３は、制御回路３１の制御のもとで、Ｘ線管１３に対してＸ線検出器１５を回転させてもよい。
【００３６】
駆動装置２３は、制御回路３１の制御のもとで、天板２１を駆動することにより、天板２１を移動させる。具体的には、駆動装置２３は、制御回路３１からの制御信号に基づいて、天板２１の短軸方向（図１のＸ方向）、および天板２１の長軸方向（図１のＹ方向）に、例えばベアリング、ガイドレール、直動軸受等を介して天板２１をスライドさせる。また、駆動装置２３は、鉛直方向（図１のＺ方向）に関して、例えばベアリング、ガイドレール、直動軸受等を介して天板２１を昇降する。
【００３７】
加えて、駆動装置２３は、長軸方向と短軸方向とのうち少なくとも一つの方向を回転軸（図１のＸ軸、Ｙ軸）として、例えばベアリング、ガイドレール、直動軸受等を介して、天板２１を傾けるために、天板２１を回転してもよい。駆動装置２３は、Ｘ線透視時およびＸ線撮影時において、天板２１に対するＸ線管１３の位置、および天板２１の位置を、計算回路３５に出力する。
【００３８】
画像発生回路２５は、Ｘ線検出器１５により検出されたＸ線に基づいて、Ｘ線画像を発生する。具体的には、画像発生回路２５は、Ｘ線検出器１５から出力されたデータに前処理を施し、Ｘ線画像を発生するプロセッサである。例えば、画像発生回路２５は、前処理機能に対応するプログラム（以下、前処理プログラムと呼ぶ）を記憶回路３３から読み出して、読み出した前処理プログラムを実行することで、前処理機能を実現する。
【００３９】
前処理機能は、Ｘ線検出器１５から出力されたディジタルデータに対して、前処理を実行する機能である。前処理とは、Ｘ線検出器１５におけるチャンネル間の感度不均一の補正、および金属等のＸ線強吸収体による極端な信号の低下またはデータの脱落に関する補正等である。
【００４０】
また、画像発生回路２５は、画像発生機能に対応するプログラム（以下、画像発生プログラムと呼ぶ）を記憶回路３３から読み出して、読み出した画像発生プログラムを実行することで、画像発生機能を実現する。画像発生回路２５は、例えば、図１におけるデータバス２６に接続される。
【００４１】
画像発生機能は、撮影位置においてＸ線撮影された後に前処理されたディジタルデータに基づいて撮影画像を発生する機能、および透視位置でＸ線透視された後に前処理されたディジタルデータに基づいて透視画像を発生する機能である。以下、撮影画像と透視画像とをまとめてＸ線画像と呼ぶ。画像発生回路２５は、リアルタイムの透視画像を順次発生する。画像発生機能は、発生したＸ線画像を、例えば、記憶回路３３、検出回路３７、補正回路３９、およびディスプレイ４１等に出力する。
【００４２】
画像発生回路２５は、後述する線量表示機能の開始指示に応答して、後述する被検体画像（被検体モデル）に被曝線量を重畳した重畳画像（以下、線量画像と呼ぶ）を、被検体Ｐに対するＸ線の曝射に応じて発生する。被曝線量は、例えば、被検体体表面における皮膚被曝線量である。画像発生回路２５は、発生した線量画像を、順次ディスプレイ４１に出力する。なお、画像発生回路２５は、被検体Ｐに対するＸ線検査において、時系列に沿って発生した線量画像を、記憶回路３３に出力してもよい。
【００４３】
画像発生回路２５は、処理回路（Ｐｒｏｃｅｓｓｉｎｇ  ｃｉｒｃｕｉｔｒｙ）を有し、例えば、記憶回路３３から各種プログラムを読み出し、実行することで、読み出したプログラムに対応する機能を実現するプロセッサである。換言すると、プログラムを読み出した状態の処理回路は、前処理機能及び画像発生機能を有することとなる。
【００４４】
なお、上記説明においては、単一の処理回路において前処理機能及び画像発生機能等の各種機能が実行されるものとして説明したが、複数の独立したプロセッサを組み合わせて処理回路を構成し、各プロセッサがプログラムを実行することにより各種機能を実現するものとしても構わない。また、前処理機能と画像発生機能とは、それぞれ異なる処理回路で実現されてもよい。
【００４５】
上記説明において用いた「プロセッサ」という文言は、例えば、ＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００４６】
なお、記憶回路３３にプログラムを保存する代わりに、プロセッサの回路内にプログラムを直接組み込むように構成しても構わない。この場合、プロセッサは、回路内に組み込まれたプログラムを読み出して実行することで、各種機能を実現する。
【００４７】
また、本実施形態の各プロセッサは、プロセッサごとに単一の回路として構成される場合に限らず、複数の独立した回路を組み合わせて１つのプロセッサとして構成し、その各種機能を実現するようにしてもよい。更に、図１における複数の構成要素を１つのプロセッサへ統合してその機能を実現するようにしてもよい。
【００４８】
インターフェース２７は、例えば、ネットワーク、図示していない外部記憶装置に関するインターフェースである。本Ｘ線診断装置１によって得られたＸ線画像等のデータ、解析結果などは、インターフェース２７およびネットワークを介して他の装置に転送可能である。インターフェース２７は、本Ｘ線診断装置１と電子的通信回線（以下、ネットワークと呼ぶ）とを接続する。ネットワークには、図示していない放射線部門情報管理システム、病院情報システム、Ｘ線コンピュータ断層撮影装置（以下、Ｘ線ＣＴ装置と呼ぶ）および磁気共鳴イメージング装置（以下、ＭＲＩ装置と呼ぶ）などの各種モダリティ等が接続される。
【００４９】
入力回路２９は、操作者からの各種指示・命令・情報・選択・設定を本Ｘ線診断装置１に取り込む。例えば、入力回路２９は、操作者が所望するＸ線撮影の撮影条件およびＸ線透視の透視条件などのＸ線発生条件、透視・撮影位置に関するＸ線の照射範囲、Ｘ線画像における関心領域（ｒｅｇｉｏｎ  ｏｆ  ｉｎｔｅｒｅｓｔ：ＲＯＩ）などを、操作者の指示により入力する。Ｘ線発生条件とは、例えば、管電圧、管電流、曝射時間、照射野の情報および線質調整フィルタの情報などである。
【００５０】
入力回路２９は、関心領域、線質調整フィルタ、Ｘ線発生条件の設定などの各種設定、入力を行うためのトラックボール、スイッチボタン、マウス、キーボード等により実現される。入力回路２９は、操作者により入力された各種指示を、制御回路３１等の各種回路に出力する。入力回路２９は、ディスプレイ４１上に表示されるカーソルの座標を検出し、検出した座標を制御回路３１に出力する。
【００５１】
なお、入力回路２９は、ディスプレイ４１を覆うように設けられたタッチパネルでもよい。この場合、入力回路２９は、電磁誘導式、電磁歪式、感圧式等の座標読み取り原理でタッチ指示された座標を検出し、検出した座標を、制御回路３１に出力する。
【００５２】
入力回路２９は、Ｘ線撮影およびＸ線透視の開始、終了、停止に関するボタン、スイッチ等を有する。また、入力回路２９は、被検体Ｐに対するＸ線撮影時およびＸ線透視時において、被検体に対する皮膚被曝線量の分布を表示する機能（以下、線量表示機能と呼ぶ）の開始指示を入力するボタン、スイッチ等を有する。
【００５３】
入力回路２９は、線量表示機能の起動時において、皮膚被曝線量が重畳される被検体画像の選択指示を入力する。被検体画像とは、被検体Ｐを示す画像であって、例えば、被検体Ｐを模式的示す３次元的な画像である。被検体Ｐを模式的に示す３次元的な画像とは、例えば、被検体Ｐを３次元的に示す被検体モデルである。被検体モデルは、例えば、模式的なレンダリング（ｒｅｎｄｅｒｉｎｇ）画像（サーフェスレンダリング（ｓｕｒｆａｃｅ  ｒｅｎｄｅｒｉｎｇ）画像、ボリュームレンダリング（ｖｏｌｕｍｅ  ｒｅｎｄｅｒｉｎｇ）画像など）である。
【００５４】
入力回路２９は、寝台近傍に設けられたフットスイッチでさらに実現されてもよい。フットスイッチは、操作者の指示により、Ｘ線撮影およびＸ線透視の開始、終了、停止を入力する。入力回路２９は、被検体モデル上における皮膚被曝線量の表示範囲とＸ線の照射範囲との位置ずれを入力してもよい。
【００５５】
制御回路３１（Ｃｏｎｔｒｏｌｌｉｎｇ  ｃｉｒｃｕｉｔｒｙ）は、本Ｘ線診断装置１における各部、各処理回路、駆動装置等を制御するプロセッサである。制御回路３１は、図示していないＣＰＵとメモリを備える。制御回路３１は、本Ｘ線診断装置１における各部、各処理回路、駆動装置等を制御するためのプログラム（以下、システム制御プログラムと呼ぶ）を記憶回路３３から読み出して、読み出したシステム制御プログラムを実行することで、各種制御機能を実現する。
【００５６】
制御機能は、入力回路２９から送られてくる操作者の指示、撮影条件・透視条件などのＸ線発生条件の情報、照射野の情報および線質調整フィルタの情報などを、図示していなメモリに一時的に記憶する。制御回路３１は、メモリに記憶された上記情報などに従って、Ｘ線撮影・Ｘ線透視（パルスＸ線撮影）を実行するために、高電圧発生器１１、Ｘ線検出器１５、照射野限定器１９、寝台、天板２１、駆動装置２３などを制御する。
【００５７】
なお、上記説明においては、単一の制御回路において制御機能等の各種機能が実行されるものとして説明したが、複数の独立したプロセッサを組み合わせて制御回路を構成し、各プロセッサがプログラムを実行することにより各種機能を実現するものとしても構わない。
【００５８】
また、本実施形態の各プロセッサ（画像発生回路２５および制御回路３１）は、プロセッサごとに単一の回路として構成される場合に限らず、複数の独立した回路を組み合わせて１つのプロセッサとして構成し、その各種機能を実現するようにしてもよい。更に、画像発生回路２５と制御回路３１とを１つのプロセッサへ統合してその機能を実現するようにしてもよい。
【００５９】
上記説明において用いた「プロセッサ」という文言は、例えば、ＣＰＵ、ＧＰＵ、或いは、ＡＳＩＣ、ＳＰＬＤ、ＣＰＬＤ、及びＦＰＧＡ等の回路を意味する。プロセッサは、記憶回路３３に保存されたプログラムを読み出して実行することで、各種機能を実現する。なお、記憶回路３３にシステム制御プログラムを保存する代わりに、制御回路３１におけるプロセッサの回路内にシステム制御プログラムを直接組み込むように構成しても構わない。この場合、プロセッサは、回路内に組み込まれたシステム制御プログラムを読み出して実行することで、各種機能を実現する。
【００６０】
記憶回路３３は、各種メモリ、ＨＤＤ（ハードディスクドライブ）、ＳＳＤ（ソリッドステートドライブ）、磁気ディスク（フロッピー（登録商標）ディスク、ハードディスクなど）、光ディスク（ＣＤ−ＲＯＭ、ＤＶＤなど）、半導体メモリなどにより構成される。
【００６１】
記憶回路３３は、診断プロトコル、入力回路２９から送られてくる操作者の指示、Ｘ線撮影に関する撮影条件および透視条件などのＸ線発生条件に関する各種データ群、被検体に対するＸ線曝射時における照射野の情報および線質調整フィルタの情報等を記憶する。
【００６２】
記憶回路３３は、画像発生回路２５で発生された種々のＸ線画像、複数の被検体画像等を記憶する。複数の被検体画像は、患者の性別、年齢、体重、身長などに応じた被検体モデルである。すなわち、複数の被検体モデルは、性別、大人または子供、標準体重超過、標準体重、標準体重未満、体重範囲、身長範囲、Ｘ線照射部位等にそれぞれ対応するモデルである。以下、被検体画像を被検体モデルと呼ぶ。
【００６３】
図２は、男性に関する複数の被検体モデルの一例を示す図である。図２の最上段の行は、標準体重超過の被検体モデルであって、高身長の被検体モデルから低身長の被検体モデルまでの５つの被検体モデルを示している。図２の中段の行は、標準体重の被検体モデルであって、高身長の被検体モデルから低身長の被検体モデルまでの５つの被検体モデルを示している。図２の最下段の行は、標準体重未満の被検体モデルであって、高身長の被検体モデルから低身長の被検体モデルまでの５つの被検体モデルを示している。
【００６４】
図３におけるＳ１およびＳ２は、被検体モデルの一例を示す図である。図３におけるＩＲは、Ｘ線の照射範囲を示している。図３のＤＳ１は、被検体モデルＳ１上における皮膚被曝線量の表示範囲を示している。図３のＤＳ２は、被検体モデルＳ２上における皮膚被曝線量の表示範囲および皮膚被曝線量を示している。
【００６５】
なお、被検体モデルにおける皮膚被曝線量の表示範囲は、例えば、図４のＣｙに示すように円筒形状をしていてもよい。また、被検体モデルは、円筒に限定されず任意の立体形状（例えば、立方体、直方体、多面体等）であってもよい。図４のＳ３は、被検体モデルである。被検体モデルが円筒形状である場合、記憶回路３３は、図４に示すように、Ｘ線検出器モデルＸｄと、Ｘ線管モデルＸｔと、照射範囲Ｘｉｒとを記憶する。照射範囲の大きさは、計算回路３５により決定される。図４におけるＤＳ３は、被検体モデル上に表示された皮膚被曝線量の分布を示している。
【００６６】
また、記憶回路３３は、撮影部位に応じた形状モデルを、被検体モデルとして記憶してもよい。撮影部位に応じた形状モデルとは、例えば、撮影部位が頭部である場合、球形状のモデルである。また、撮影部位が胴である場合、撮影部位に応じた形状とは、円柱形状のモデルである。
【００６７】
図５は、撮影部位が頭部である場合における形状モデルの一例を示す図である。図５のＳｐは、球形状のモデルを示している。図５におけるＳＤ５、ＳＤ６各々は、球形状のモデル上に表示された皮膚被曝線量の分布を示している。図５のＳ４は、形状モデルの部位を示すための被検体モデルである。図５のＰＳは、被検体モデルＳ４における球形状モデルＳｐの位置を示している。
【００６８】
記憶回路３３は、複数の被検体モデル各々において、複数の解剖学的標識点（Ａｎａｔｏｍｉｃａｌ  Ｌａｎｄｍａｒｋ）を記憶する。解剖学的標識点とは、例えば、輪郭、目、骨などである。すなわち、被検体モデル各々は、複数の解剖学的標識点を有する。
【００６９】
記憶回路３３は、被検体モデル各々に関して、解剖学的標識点の代わりに所定臓器に関する解剖学的構造（解剖学的特徴）を示すパターン、マーカを記憶してもよい。所定臓器とは、例えば、Ｘ線に対する感受性が高い臓器（すなわち被曝が重視される領域）であって、例えば、水晶体、甲状腺などである。以下、解剖学的構造を示すパターン、マーカを、解剖学的領域と呼ぶ。
【００７０】
記憶回路３３は、被検体Ｐに対して実行されたＸ線検査の期間に亘って計算された皮膚曝射線量および被検体モデルにおける皮膚被曝線量の表示範囲とを、Ｘ線の曝射時刻に対応づけて記憶する。すなわち、記憶回路３３は、時系列に沿った皮膚被曝線量と、皮膚被曝線量の表示範囲とを記憶する。
【００７１】
記憶回路３３は、本Ｘ線診断装置１のシステム制御プログラム、前処理機能に関する前処理プログラム、画像発生機能に関する画像発生プログラム、皮膚被曝線量を計算する線量計算プログラム、被検体モデル上における皮膚被曝線量の表示範囲とＸ線の照射範囲との位置ずれを検出する位置ずれ検出プログラム、皮膚被曝線量の表示範囲と被検体画像との相対的な位置関係を補正する補正プログラム、被検体モデルに皮膚被曝線量を重畳した画像とＸ線画像との位置合わせ（Ｒｅｇｉｓｔｒａｔｉｏｎ）を実行する位置合わせプログラム等の各種プログラムを記憶する。
【００７２】
記憶回路３３は、位置ずれ検出プログラムにおいて用いられる所定の閾値（位置ずれの角度範囲、位置ずれの長さ範囲）、補正回路３９により補正された相対的な位置関係等を記憶する。所定の閾値とは、位置ずれ検出のトリガとなる値であって、例えば、ミリメートル（ｍｍ）の程度である。なお、所定の閾値は、Ｘ線画像において表示された所定臓器の大きさ（例えば、目の大きさ、差し渡し）に依存してもよい。
【００７３】
計算回路３５は、Ｘ線発生条件と、Ｘ線管１３の位置と、天板２１の位置と、選択された被検体モデルとに基づいて、被検体に対するＸ線の曝射ごとに、被検体モデル上でのＸ線の照射位置と、Ｘ線線量とを計算する。具体的には、計算回路３５は、Ｘ線の曝射ごとおよび照射位置ごとにＸ線線量を積算することにより、皮膚被曝線量を計算する。また、計算回路３５は、照射位置が重複する領域を除いてＸ線の曝射ごとに照射位置を加算することにより、被検体モデル上における皮膚被曝線量の表示範囲を計算する。
【００７４】
計算回路３５は、Ｘ線の曝射毎に計算した皮膚被曝線量の表示範囲と皮膚被曝線量とを、ディスプレイ４１に出力する。また、計算回路３５は、皮膚被曝線量の表示範囲と皮膚被曝線量とを、Ｘ線の曝射時刻に対応づけて記憶回路３３に出力する。計算回路３５は、Ｘ線の曝射ごとに、皮膚被曝線量の表示範囲を検出回路３７に出力する。
【００７５】
計算回路３５は、処理回路を有し、例えば、記憶回路３３から線量計算プログラムを読み出し、実行することで、読み出したプログラムに対応する機能を実現するプロセッサである。なお、上記説明においては、単一の処理回路において皮膚被曝線量および被検体モデルにおける皮膚被曝線量の表示範囲を計算する機能が実行されるものとして説明したが、複数の独立したプロセッサを組み合わせて処理回路を構成し、各プロセッサが線量計算プログラムを実行することにより各種機能を実現するものとしても構わない。
【００７６】
上記説明において用いた「プロセッサ」という文言は、例えば、ＣＰＵ、ＧＰＵ、或いは、ＡＳＩＣ、ＳＰＬＤ、ＣＰＬＤ、及びＦＰＧＡ等の回路を意味する。なお、記憶回路３３にプログラムを保存する代わりに、プロセッサの回路内にプログラムを直接組み込むように構成しても構わない。この場合、プロセッサは、回路内に組み込まれたプログラムを読み出して実行することで、各種機能を実現する。
【００７７】
なお、本実施形態の各プロセッサ（制御回路３１および計算回路３５）は、プロセッサごとに単一の回路として構成される場合に限らず、複数の独立した回路を組み合わせて１つのプロセッサとして構成し、その各種機能を実現するようにしてもよい。
【００７８】
検出回路３７は、被検体モデル上における皮膚被曝線量の表示範囲（Ｘ線の照射範囲）とＸ線画像（Ｘ線画像におけるＸ線の照射範囲）との位置ずれ（位置ずれ、サイズのずれ）を検出する。具体的には，検出回路３７は、Ｘ線画像における被検体の輪郭（エッジ）と被検体モデルの輪郭との位置合わせ（レジストレーション）を実行する。なお、検出回路３７は、Ｘ線画像における被検体の骨領域と被検体モデルにおける骨領域との位置合わせを実行してもよい。
【００７９】
また、検出回路３７は、Ｘ線画像における被検体の目の位置（水晶体の位置）と被検体モデルにおける目の位置との位置合わせを実行してもよい。輪郭、骨領域、目の位置等（解剖学的特徴）は、例えば、エッジ検出、アトラス（解剖学的図譜）等により、予め検出回路３７により検出される。検出回路３７において用いられる位置合わせは、例えば、剛体位置合わせ（ｒｉｇｉｄ  ｒｅｇｉｓｔｒａｔｉｏｎ）である。なお、位置合わせは、剛体位置合わせに限定されない。
【００８０】
なお、被検体モデルに解剖学的標識点または解剖学的領域が設けられている場合、検出回路３７は、Ｘ線画像における解剖学的標識点または解剖学的領域を検出する。次いで、検出回路３７は、Ｘ線画像と被検体モデルとにおいてそれぞれ対応する解剖学的標識点または解剖学的領域（目の位置、水晶体の位置等）を用いて、Ｘ線画像と被検体モデルとの位置合わせを実行する。なお、位置合わせは、輪郭、解剖学的特徴、解剖学的標識点などを用いて、複合的に実行されてもよい。
【００８１】
検出回路３７は、位置合わせされたＸ線画像および被検体モデルと所定の閾値とを用いて、被検体モデル上における皮膚被曝線量の表示範囲とＸ線の照射範囲との位置ずれを検出する。例えば、位置ずれの大きさが所定の閾値を超えた場合、検出回路３７は、位置ずれを検出する。なお、検出回路３７は、所定臓器、すなわちＸ線に対する感受性が高い臓器の位置ずれを検出してもよい。また、検出回路３７は、位置合わせされたＸ線画像および被検体モデルとに基づいて、Ｘ線の照射範囲の大きさと皮膚吸収線量の表示範囲の大きさとのずれ（すなわち、サイズの違い）を検出する。なお、検出回路３７は、入力回路２９を介した操作者の指示に従って、ずれを検出してもよい。
【００８２】
位置ずれを検出すると、検出回路３７は、位置ずれ量（位置ずれの大きさ（長さ）、ずれの方向）を補正回路３９に出力する。なお、検出回路３７は、位置ずれ量および位置ずれ量に関する情報をディスプレイ４１に出力してもよい。また、検出回路３７は、Ｘ線画像の発生毎に、位置ずれの有無を検出する。
【００８３】
位置ずれ量に関する情報とは、例えば、被検体モデルまたは皮膚被曝線量の表示範囲を移動させるメッセージ、被検体モデルまたは皮膚被曝線量の表示範囲を移動させる方向を示す矢印、被検体モデルまたは皮膚被曝線量の表示範囲をどの方向にどの程度移動させたらよいかを示す支援メッセージ、位置ずれ量の大きさ（拡大縮小（リサイズ））に応じたより適切な被検体モデルの提示、位置ずれの発生を報知するための所定の警告などである。
【００８４】
検出回路３７は、処理回路を有し、例えば、記憶回路３３から各種プログラム（位置ずれ検出プログラム、位置合わせプログラム等）を読み出し、実行することで、読み出したプログラムに対応する機能を実現するプロセッサである。なお、上記説明においては、単一の処理回路において位置ずれ検出機能が実行されるものとして説明したが、複数の独立したプロセッサを組み合わせて処理回路を構成し、各プロセッサがプログラムを実行することにより各種機能を実現するものとしても構わない。
【００８５】
上記説明において用いた「プロセッサ」という文言は、例えば、ＣＰＵ、ＧＰＵ、或いは、ＡＳＩＣ、ＳＰＬＤ、ＣＰＬＤ、及びＦＰＧＡ等の回路を意味する。なお、記憶回路３３にプログラムを保存する代わりに、プロセッサの回路内にプログラムを直接組み込むように構成しても構わない。この場合、プロセッサは、回路内に組み込まれたプログラムを読み出して実行することで、各種機能を実現する。
【００８６】
なお、本実施形態の各プロセッサ（計算回路３５および検出回路３７）は、プロセッサごとに単一の回路として構成される場合に限らず、複数の独立した回路を組み合わせて１つのプロセッサとして構成し、その各種機能を実現するようにしてもよい。更に、図１における複数の構成要素を１つのプロセッサへ統合してその機能を実現するようにしてもよい。
【００８７】
補正回路３９は、Ｘ線画像に基づいて、被検体モデル上における皮膚被曝線量の表示範囲と被検体画像との相対的な位置関係を補正する。例えば、補正回路３９は、Ｘ線画像における解剖学的標識点と被検体モデルにおける解剖学的標識点とに基づいて、上記相対的な位置関係を補正する。
【００８８】
具体的には、補正回路３９は、Ｘ線画像における解剖学的標識点と被検体の体表におけるＸ線の照射範囲とに基づいて、被検体モデルにおける皮膚被曝線量の表示範囲をＸ線の照射範囲に整合させるために、被検体モデルの位置と被検体モデルの大きさとのうち少なくともひとつを補正する。なお、補正回路３９は、Ｘ線画像における解剖学的標識点と被検体の体表におけるＸ線の照射範囲とに基づいて、被検体モデルにおける皮膚被曝線量の表示範囲をＸ線の照射範囲に整合させるために、被検体モデル上における皮膚被曝線量の表示範囲の位置と皮膚被曝線量の表示範囲の大きさとのうち少なくともひとつを補正してもよい。
【００８９】
なお、被検体モデルにおける皮膚被曝線量の表示範囲と、Ｘ線の照射範囲とが、それぞれの範囲に対する相対的な拡大率または縮小率で整合可能な場合、補正回路３９は、相対的な拡大率と縮小率とのうち少なくとも一方を用いて、被検体モデルと皮膚被曝線量の表示範囲とのうち少なくとも一方を補正する。また、補正回路３９は、位置ずれ量に基づいて被検体モデルを回転させることにより、被検体モデルの位置と被検体モデルの大きさとのうち少なくともひとつを補正してもよい。なお、補正回路３９は、被検体モデルと皮膚被曝線量の表示範囲とに対する補正について、上記様々な補正を組み合わせてもよい。
【００９０】
すなわち、補正回路３９は、検出回路３７により検出された位置ずれ量に基づいて、位置ずれ量が最小になるように、被検体モデルまたは皮膚被曝線量の表示範囲を移動または変形させる。また、補正回路３９は、検出回路３７により検出された位置ずれ量に基づいて、位置ずれ量が最小になるように、被検体モデルの大きさまたは皮膚被曝線量の表示範囲の大きさを変更（変形、リサイズ）する。このとき、補正回路３９は、位置ずれ量の大きさ（拡大縮小）に応じたより適切な被検体モデルを選択してもよい。
【００９１】
補正回路３９は、処理回路を有し、例えば、記憶回路３３から補正プログラムを読み出し、実行することで、読み出したプログラムに対応する機能を実現するプロセッサである。なお、上記説明においては、単一の処理回路において位置ずれ検出機能が実行されるものとして説明したが、複数の独立したプロセッサを組み合わせて処理回路を構成し、各プロセッサがプログラムを実行することにより各種機能を実現するものとしても構わない。
【００９２】
上記説明において用いた「プロセッサ」という文言は、例えば、ＣＰＵ、ＧＰＵ、或いは、ＡＳＩＣ、ＳＰＬＤ、ＣＰＬＤ、及びＦＰＧＡ等の回路を意味する。なお、記憶回路３３にプログラムを保存する代わりに、プロセッサの回路内にプログラムを直接組み込むように構成しても構わない。この場合、プロセッサは、回路内に組み込まれたプログラムを読み出して実行することで、各種機能を実現する。
【００９３】
なお、本実施形態の各プロセッサ（計算回路３５、検出回路３７、補正回路３９）は、プロセッサごとに単一の回路として構成される場合に限らず、複数の独立した回路を組み合わせて１つのプロセッサとして構成し、その各種機能を実現するようにしてもよい。更に、図１における複数の構成要素を１つのプロセッサ（図１の処理装置４３）へ統合してその機能を実現するようにしてもよい。
【００９４】
ディスプレイ４１は、画像発生回路２５により発生されたＸ線画像、入力回路２９により入力される各種入力項目（Ｘ線発生条件、透視・撮影位置に関するＸ線の照射範囲、Ｘ線画像における関心領域等）を表示する。ディスプレイ４１は、線量表示機能の開始指示に応答して、被検体を示す被検体画像（被検体モデル）上にＸ線に起因する皮膚被曝線量を表示する。具体的には、ディスプレイ４１は、皮膚被曝線量を、線量の大きさに応じた所定の色相で被検体モデル上に表示する。
【００９５】
具体的には、ディスプレイ４１は、被検体Ｐに対するＸ線の曝射に応じて、皮膚被曝線量を更新して表示する。このとき、ディスプレイ４１は、補正回路３９による補正結果に従って、被検体モデルまたは皮膚被曝線量の表示範囲の相対的な位置関係を補正して表示する。すなわち、ディスプレイ４１は、被検体モデルの位置と、被検体モデルの大きさと、被検体モデル上における皮膚被曝線量の表示範囲の位置と、被検体モデル上における皮膚被曝線量の表示範囲の大きさとのうち少なくともひとつを補正して、線量画像を表示する。
【００９６】
なお、ディスプレイ４１は、位置ずれ量に応じて、被検体モデルを回転させて表示してもよい。また、ディスプレイ４１は、線量画像で表示中の被検体モデルを、位置ずれ量の大きさ（拡大縮小）に応じて選択された被検体モデルに置換して表示してもよい。これにより、線量画像において、被検体モデルにおける皮膚被曝線量の表示範囲と、Ｘ線の照射範囲とが整合する。
【００９７】
ディスプレイ４１は、検出回路３７による位置ずれの検出に応答して、位置ずれ量および位置ずれ量に関する情報を表示してもよい。例えば、ディスプレイ４１は、被検体モデルまたは皮膚被曝線量の表示範囲を移動させるメッセージ、被検体モデルまたは皮膚被曝線量の表示範囲を移動させる方向を示す矢印、被検体モデルまたは皮膚被曝線量の表示範囲をどの方向にどの程度移動させたらよいかを示す支援メッセージ、位置ずれ量の大きさ（拡大縮小）に応じたより適切な被検体モデルの提示、位置ずれの発生を報知するための所定の警告などを表示する。
【００９８】
（位置ずれ補正機能）  
位置ずれ補正機能とは、被検体モデル上における皮膚被曝線量の表示範囲とＸ線の照射範囲との位置ずれを検出し、検出した位置ずれを線量画像において補正する機能である。以下、位置ずれ補正機能に係る処理（以下、位置ずれ補正処理と呼ぶ）について説明する。
【００９９】
図６は、位置ずれ補正処理に係る処理手順の一例を示すフローチャートである。  
入力回路２９を介した操作者の指示により、線量表示機能が起動される（ステップＳａ１）。このとき、入力回路２９を介して、皮膚被曝線量が重畳される被検体モデルが選択される。なお、線量表示機能で用いられる被検体モデルは、例えば、処理装置４３または制御回路３１により、ネットワークを介して取得された被検体情報（性別、体重、身長等）に基づいて、複数の被検体モデルから選択されてもよい。
【０１００】
Ｘ線撮影の開始前において、入力回路２９を介した操作者の指示により、Ｘ線発生条件などが、制御回路３１に入力される。入力回路２９を介した操作者の指示により、被検体に対してＸ線撮影が開始される（ステップＳａ２）。Ｘ線発生条件に従って被検体に対してＸ線が曝射される（ステップＳａ３）。Ｘ線画像が発生され、ディスプレイ４１に表示される。皮膚被曝線量と、皮膚被曝線量の表示範囲とが、計算回路３５により計算される。
【０１０１】
皮膚被曝線量が、被検体モデルにおける皮膚被曝線量の表示範囲に線量に応じた色相で重畳され、ディスプレイ４１に表示される（ステップＳａ４）。Ｘ線画像（Ｘ線の照射範囲）と、Ｘ線の曝射に対応する皮膚被曝線量の表示範囲（Ｘ線の曝射に対応し、被検体モデル上におけるＸ線の照射範囲）との位置ずれが検出される（ステップＳａ５）と、皮膚被曝線量の表示範囲と被検体モデルとの相対的な位置関係が補正される（ステップＳａ６）。また、位置ずれの検出に応じて、位置ずれ量および位置ずれ量に関する情報が、ディスプレイ４１に表示されてもよい。
【０１０２】
相対的な位置関係の補正は、ディスプレイ４１に表示された線量画像おいて、被検体モデルまたは被検体モデル上におけるＸ線の照射範囲（Ｘ曝曝射に対応する皮膚被曝線量の表示範囲）を移動させること、または、被検体モデルの大きさまたは被検体モデル上におけるＸ線の照射範囲（Ｘ曝曝射に対応する皮膚被曝線量の表示範囲）の大きさを変更（変形）すること（拡大縮小すること）に対応する。
【０１０３】
なお、相対的な位置関係の補正は、線量画像で表示中の被検体モデルを、位置ずれ量の大きさ（拡大縮小）に応じたより適切な被検体モデルに置換することであってもよい。また、相対的な位置関係の補正は、位置ずれ量に応じて、線量画像で表示中の被検体モデルを回転させることであってもよい。
【０１０４】
補正した相対的な位置関係を用いて、被検体モデル上に皮膚被曝線量が表示される（ステップＳａ７）。Ｘ線撮影の終了の指示が入力回路２９を介して入力されるまで（ステップＳａ８）、ステップＳａ３乃至ステップＳａ８の処理が繰り返される。
【０１０５】
図７は、被検体Ｐに対するＸ線の曝射に伴って発生されたＸ線画像Ａおよび線量画像Ｂと、補正された相対的な位置関係を用いて被検体モデルを移動させた線量画像Ｃとを示す図である。図７に示すように、Ｘ線画像Ａにおいて被検体Ｐに対するＸ線の照射範囲Ｄは、頭頂部から鼻腔と上顎骨との間までの範囲であって、補正前の線量画像Ｂにおける（Ｘ線曝射に対応する）皮膚被曝線量の表示範囲Ｅと異なっている。
【０１０６】
図７に示すように、Ｘ線の照射範囲Ｄと、皮膚被曝線量の表示範囲Ｅとの位置ずれは、検出回路３７により検出される。図７の線量画像Ｃにおける被検体モデルは、検出した位置ずれ量に応じて下方に移動（図７のＦ）されている。
【０１０７】
図８は、被検体Ｐに対するＸ線の曝射に伴って発生されたＸ線画像Ｊおよび線量画像Ｋと、補正された相対的な位置関係を用いて被検体モデルを移動させた線量画像Ｌとを示す図である。図８のＸ線画像ＪにおけるＸ線の照射範囲Ｍは、頭頂部から鼻腔と上顎骨との間までの範囲であって、線量画像Ｋにおける皮膚被曝線量の表示範囲Ｎと異なっている。
【０１０８】
図８に示すように、Ｘ線の照射範囲Ｍと皮膚被曝線量の表示範囲Ｎとの位置ずれは、検出回路３７により検出される。照射範囲Ｍと表示範囲Ｎとの位置ずれは、被検体モデルにおける頭部の大きさに起因する。このため、図８の線量画像Ｃにおける被検体モデルは、検出した位置ずれ量に応じて被検体モデルの位置部分（頭部）を、被検体モデルの体軸方向に沿って縮小（図８のＯ）されている。例えば、被検体が子供である場合、被検体モデルは、被検体の成長（例えば年齢に応じて）に適宜拡張されてもよい。
【０１０９】
以上に述べた構成によれば、以下の効果を得ることができる。  
本実施形態に係るＸ線診断装置１によれば、被検体Ｐに対するＸ線曝射毎に、Ｘ線画像に基づいて、被検体モデル（被検体画像）におけるＸ線曝射に関する皮膚被曝線量の表示範囲と、被検体モデルとの相対的な位置関係を補正することができる。これにより、Ｘ線撮影中（例えば、長時間に亘る手術において、被検体Ｐに対して麻酔がかけられなかった場合）において被検体Ｐが動いた場合（被検体が首振りをしたり、足を動かした場合）であっても、操作者による手間をかけることなく、被検体Ｐに対する被検体モデルの形状の精度と皮膚被曝線量の表示範囲の精度とを向上させることができる。以上のことから、本実施形態に係るＸ線診断装置１によれば、皮膚被曝線量の計算に誤差が発生する問題を改善することができる。
【０１１０】
（第１の変形例）  
第１の実施形態との相違は、撮影方向が異なる複数のＸ線画像を用いて、位置ずれ補正処理を実行することにある。
【０１１１】
入力回路２９は、被検体Ｐに対するＸ線検査の実行中において、操作者の指示により撮影方向の変更の指示を入力する。すなわち、入力回路２９は、上記Ｘ線画像に関する撮影方向とは異なる撮影方向（以下、異撮影方向と呼ぶ）に、サポートフレーム１７を移動させる指示を入力する。入力回路２９は、異撮影方向から被検体Ｐを撮影するための指示（以下、撮影指示と呼ぶ）を入力する。なお、入力回路２９は、異撮影方向に関するＸ線撮影に関するＸ線発生条件を入力してもよい。入力回路２９は、Ｘ線発生条件と異撮影方向とを制御回路３１と計算回路３５とに出力する。
【０１１２】
制御回路３１は、入力回路２９により入力された異撮影方向に対応する位置（以下、異撮影位置と呼ぶ）にサポートフレーム１７を移動させる指示を、駆動装置２３に出力する。制御回路３１は、撮影指示に応答して被検体を撮影するために、Ｘ線発生条件にしたがって高電圧発生器１１および照射野限定器１９を制御する。なお、制御回路３１は、異撮影位置に応じて、被検体モデルを回転させてもよい。
【０１１３】
駆動装置２３は、制御回路３１からの指示に従って、異撮影位置にサポートフレーム１７を移動させるために、サポートフレーム１７を駆動する。サポートフレーム１７は、駆動装置２３による駆動を受けて、異撮影位置に移動する。高電圧発生器１１は、制御回路３１からの撮影指示の入力に応答して、Ｘ線発生条件に従って、被検体を異方向から撮影するために、管電圧をＸ線管１３に印可し、管電流をＸ線管１３に供給する。
【０１１４】
計算回路３５は、異撮影方向に関するＸ線撮影に応答して、Ｘ線発生条件おおび異撮影位置等に基づいて、異撮影方向に関する皮膚被曝線量を計算する。計算回路３５は、異撮影方向に関する皮膚被曝線量を、画像発生回路２５に出力する。
【０１１５】
画像発生回路２５は、異撮影位置に関するＸ線検出器１５からの出力に基づいて、異撮影方向に関するＸ線画像（以下、異方向画像と呼ぶ）を発生する。すなわち、画像発生回路２５は、Ｘ線画像の撮影方向とは異なる少なくとも一つの撮影方向に対応する異方向画像を発生する。なお、異方向画像は、バイプレーンにおける一方のＸ線検出器からの出力に基づく画像であってもよい。画像発生回路２５は、異方向画像を検出回路３７に出力する。
【０１１６】
検出回路３７は、異方向画像に基づいて、位置ずれを検出する。検出回路３７は、例えば、異方向画像と回転された被検体モデルとを位置合わせすることにより、Ｘ線画像の撮影方向に沿った位置ずれを検出する。すなわち、検出される位置ずれはＸ線画像の撮影方向に関する位置ずれ量となる。検出回路３７は、検出した位置ずれを補正回路３９に出力する。
【０１１７】
例えば、Ｘ線画像に関する撮影方向が天板２１における被検体Ｐの載置面に垂直な方向であって、異方向画像に関する撮影方向が天板２１の載置面に平行な方向である場合、検出される位置ずれは、天板２１の載置面に垂直な方向に沿った被検体モデルの位置ずれとなる。
【０１１８】
補正回路３９は、撮影方向に沿った位置ずれ量に基づいて、相対的な位置関係を補正する。具体的には、補正回路３９は、被検体モデルにおける皮膚被曝線量の表示範囲をＸ線の照射範囲に適合させるように、異方向画像における解剖学的標識点に基づいて、皮膚被曝線量の表示範囲の大きさと被検体モデルの大きさとのうち少なくともひとつを補正する。
【０１１９】
例えば、補正回路３９による相対的な位置関係の補正は、被検体モデルの大きさまたは被検体モデル上におけるＸ線の照射範囲（Ｘ曝曝射に対応する皮膚被曝線量の表示範囲）の大きさを拡大縮小することに対応する。
【０１２０】
なお、補正回路３９は、第１の実施形態と同様に、検出回路３７により検出された位置ずれ量に基づいて、位置ずれ量が最小になるように、被検体モデルまたは皮膚被曝線量の表示範囲を移動させてもよい。
【０１２１】
ディスプレイ４１は、補正回路３９による補正結果に従って、被検体モデルまたは皮膚被曝線量の表示範囲の相対的な位置関係を補正して表示する。具体的には、ディスプレイ４１は、被検体モデルの大きさと、被検体モデル上における皮膚被曝線量の表示範囲の大きさとのうち少なくともひとつを補正して、線量画像を表示する。
【０１２２】
以上に述べた構成によれば、以下の効果を得ることができる。  
本変形例に係るＸ線診断装置１によれば、被検体Ｐに対してサポートフレーム１７を回転させる（振る）ことにより、異なる複数の撮影方向にそれぞれ対応する複数のＸ線画像を発生し、発生された複数のＸ線画像に基づいて、３次元的な位置ずれを検出することができる。これにより、本変形例に係るＸ線診断装置１によれば、より正確に位置ずれを検出することができ、被検体Ｐに対する被検体モデルの形状の精度と皮膚被曝線量の表示範囲の精度とを向上させることができる。
【０１２３】
（第２の変形例）  
第１の実施形態との相違は、位置ずれの検出に応答して、補正された相対的な位置関係を用いて、皮膚被曝線量を計算することにある。
【０１２４】
計算回路３５は、補正された相対的な位置関係と、Ｘ線発生条件と、Ｘ線管１３の位置と、天板２１の位置と、被検体モデルとに基づいて、位置ずれの検出に用いられたＸ線画像に関するＸ線の曝射に対応したＸ線線量と、被検体モデル上でのＸ線の照射位置と計算する。計算回路３５は、位置ずれ検出以前の皮膚被曝線量に、位置ずれ検出後に計算したＸ線線量を、照射位置に応じて加算することにより、最新の皮膚被曝線量を計算する。
【０１２５】
本変形例に係る計算回路３５における皮膚被曝線量の計算は、例えば、図６のフローチャートのステップＳａ６の処理とステップＳａ７の処理との間に実行される。このとき、補正された相対的な位置関係は、新たに位置ずれが検出されるまでＸ線検査中において維持される。新たな位置ずれが検出された場合、相対的な位置関係は、更に補正される。すなわち、相対的な位置関係は、位置ずれの検出に応じて、随時更新される。
【０１２６】
なお、相対的な位置関係の更新履歴と皮膚被曝線量の計算に用いられた相対的な位置関係とは、記憶回路３３に出力されてもよい。このとき、記憶回路３３は、上記更新履歴と皮膚被曝線量の計算に用いられた相対的な位置関係とを、Ｘ線検査におけるＸ線曝射の時系列に沿って記憶する。また、記憶回路３３は、Ｘ線検査におけるＸ線曝射ごとに、Ｘ線発生条件と、Ｘ線管１３の位置と、天板２１の位置とを記憶する。
【０１２７】
以上に述べた構成によれば、以下の効果を得ることができる。  
本変形例に係るＸ線診断装置１によれば、位置ずれの検出に応答して、補正された相対的な位置関係を用いて、位置ずれの検出に用いられたＸ線画像に関するＸ線曝射に伴う皮膚被曝線量を計算することができる。すなわち、本変形例に係るＸ線診断装置１は、位置ずれの検出に応答して、位置ずれを考慮して、皮膚被曝線量と皮膚被曝線量の表示範囲とを計算することができる。
【０１２８】
これにより、本変形例に係るＸ線診断装置１によれば、Ｘ線撮影中において被検体Ｐが動いた場合であっても、操作者による手間をかけることなく、正確な皮膚被曝線量を、被検体モデルの正確な位置に表示することができる。以上のことから、本変形例に係るＸ線診断装置１によれば、被検体モデルと、実際の被検体Ｐとの位置ずれを最小限にすることができ、かつ表示される皮膚被曝線量の精度を向上させることができる。
【０１２９】
（第３の変形例）  
第１の実施形態との相違は、位置ずれの検出に応答して、補正された相対的な位置関係と、入力回路２９を介して入力された時間間隔とを用いて、位置ずれ検出の時刻から入力された時間間隔だけ遡った時刻から位置ずれ検出の時刻まで皮膚被曝線量を再計算することにある。
【０１３０】
入力回路２９は、位置ずれの検出時刻（以下、位置ずれ時刻と呼ぶ）から遡って皮膚被曝線量を再計算するための時間間隔を、操作者の指示に従って入力する。なお、時間間隔が入力される時点は、位置ずれ時刻、および被検体に対するＸ線検査の検査中などに限定されず、任意の時刻に入力可能である。なお、皮膚被曝線量の再計算に関する時間間隔は、予め記憶回路３３に記憶されていてもよい。
【０１３１】
計算回路３５は、検出回路３７による位置ずれの検出時刻から時間間隔だけ遡った時刻から検出時刻までの前記皮膚被曝線量を再計算する。具体的には、計算回路３５は、位置ずれの検出に応答して、位置ずれ時刻から時間間隔だけ遡った時刻（以下、再計算開始時刻と呼ぶ）を特定する。計算回路３５は、再計算開始時刻から位置ずれ時刻までの期間における補正された相対的な位置関係と、Ｘ線発生条件と、Ｘ線管１３の位置と、天板２１の位置と、被検体モデルと（以下、線量再計算情報と呼ぶ）を記憶回路３３から読み出す。
【０１３２】
計算回路３５は、再計算開始時刻から位置ずれ時刻までの期間に亘って、線量再計算情報を用いて、Ｘ線の曝射毎に皮膚被曝線量と、皮膚被曝線量の表示範囲とを再計算する。計算回路３５は、再計算した皮膚被曝線量と、皮膚被曝線量の表示範囲と、記憶回路３３とディスプレイ４１とに出力する。計算回路３５は、位置ずれ時刻以降のＸ線曝射において、再計算した皮膚被曝線量と皮膚被曝線量の表示範囲とを用いて、皮膚被曝線量および皮膚被曝線量の表示範囲を計算する。
【０１３３】
ディスプレイ４１は、位置ずれ時刻に対応し、再計算された皮膚被曝線量を、皮膚被曝線量の表示範囲を用いて被検体モデル上に表示する。本変形例に係る計算回路３５における皮膚被曝線量等の再計算は、例えば、図６のフローチャートのステップＳａ６の処理とステップＳａ７の処理との間に実行される。
【０１３４】
なお、相対的な位置関係の更新履歴と皮膚被曝線量の計算に用いられた相対的な位置関係とは、記憶回路３３に出力されてもよい。このとき、記憶回路３３は、上記更新履歴と皮膚被曝線量の計算に用いられた相対的な位置関係とを、Ｘ線検査におけるＸ線曝射の時系列に沿って記憶する。
【０１３５】
（線量再計算機能）  
線量再計算機能とは、位置ずれの検出に応じて、再計算開始時刻から位置ずれ時刻までの皮膚被曝線量等を再計算する機能である。以下、線量再計算機能に係る処理を線量再計算処理と呼ぶ。
【０１３６】
図９は、線量再計算処理の手順の一例を示すフローチャートである。  
Ｘ線画像におけるＸ線の照射範囲と、皮膚被曝線量の表示範囲との位置ずれが検出される（ステップＳｂ１）。皮膚被曝線量の表示範囲と、被検体モデルとの相対的な位置関係が補正される（ステップＳｂ２）。入力回路２９を介して、時間間隔が入力される（ステップＳｂ３）。位置ずれの検出時刻と時間間隔とに基づいて、再計算開始時刻が決定される（ステップＳｂ４）。すなわち、位置ずれ時刻から時間間隔を差分することにより、再計算開始時刻が決定される。
【０１３７】
再計算開始時刻から位置ずれ時刻までの線量再計算情報が、記憶回路３３から読み出される（ステップＳｂ５）。再計算開始時刻から位置ずれ時刻までの期間に亘って、線量再計算情報を用いて、Ｘ線の曝射毎に皮膚被曝線量と、皮膚被曝線量の表示範囲とが、再計算される（ステップＳｂ６）。このとき、再計算開始時刻から位置ずれ時刻までの期間におけるＸ線の曝射に応じた皮膚被曝線量と、皮膚被曝線量の表示範囲とは、記憶回路３３に記憶される。記憶された皮膚被曝線量と、皮膚被曝線量の表示範囲とは、更なる線量再計算処理およびＸ線検査に亘る線量表示の再生に利用される。位置ずれ時刻における皮膚被曝線量が、被検体モデル上に表示される（ステップＳｂ７）。
【０１３８】
以上に述べた構成によれば、以下の効果を得ることができる。  
本変形例に係るＸ線診断装置１によれば、位置ずれの検出に応答して、被検体Ｐに対するＸ線検査において過去の再検開始時刻から位置ずれの検出時刻までの皮膚被曝線量を再計算することができる。これにより、本変形例に係るＸ線診断装置１によれば、Ｘ線撮影中において被検体Ｐが動いた場合であっても、操作者が判断した位置ずれ発生の時点まで遡って、皮膚被曝線量を再計算することができる。以上のことから、本変形例に係るＸ線診断装置１によれば、表示される皮膚被曝線量の精度を、過去に遡って向上させることができる。
【０１３９】
（第４の変形例）  
第１の実施形態との相違は、被検体に対するボリュームデータに基づいて、被検体モデルを作成し、作成した被検体モデルを用いて皮膚被曝線量を再計算することにある。
【０１４０】
記憶回路３３は、被検体Ｐを模式的に示す３次元的な複数の被検体モデルを記憶する。なお、記憶回路３３は、複数の患者各々に対する過去のボリュームデータを記憶してもよい。ボリュームデータは、Ｘ線ＣＴ装置、ＭＲＩ装置等の各種モダリティにより発生されたデータであって、例えば、ネットワークとインターフェース２７とを介してモダリティから記憶回路３３に送信される。
【０１４１】
入力回路２９は、被検体Ｐに対するＸ線検査の実行中において、操作者の指示により、ボリューム撮影の開始指示（以下、ボリューム撮影指示と呼ぶ）を入力する。ここで、ボリューム撮影とは、ボリュームデータを再構成するための被検体Ｐの投影画像を収集するための回転撮影に対応する。なお、入力回路２９は、ボリューム撮影に関するＸ線発生条件（例えば、撮影範囲、サポートフレーム１７の回転範囲等）を入力してもよい。入力回路２９は、Ｘ線発生条件とボリューム撮影指示とを制御回路３１に出力する。入力回路２９は、被検体Ｐに関する過去のボリュームデータを選択する選択指示を入力する。入力回路２９は、選択指示を制御回路３１に出力する。
【０１４２】
制御回路３１は、入力回路２９により入力された回転範囲に亘って、サポートフレーム１７を移動させる指示を、駆動装置２３に出力する。制御回路３１は、ボリューム撮影指示に応答して被検体をボリューム撮影するために、Ｘ線発生条件にしたがって高電圧発生器１１および照射野限定器１９を制御する。
【０１４３】
制御回路３１は、入力回路２９から出力された選択指示にしたがって、被検体Ｐに関する過去のボリュームデータを選択する。制御回路３１は、選択した過去のボリュームデータを記憶回路３３から読み出して、画像発生回路２５に出力する。
【０１４４】
駆動装置２３は、制御回路３１からの指示に従って、回転範囲内において、サポートフレーム１７を回転させるために、サポートフレーム１７を駆動する。サポートフレーム１７は、駆動装置２３による駆動を受けて、回転範囲内において回転する。高電圧発生器１１は、制御回路３１からの撮影指示の入力に応答して、Ｘ線発生条件に従って、ボリューム撮影を実行するために、管電圧をＸ線管１３に印可し、管電流をＸ線管１３に供給する。
【０１４５】
画像発生回路２５は、回転範囲内におけるＸ線の複数の曝射位置にそれぞれ対応する複数のＸ線画像（以下、投影画像と呼ぶ）を発生する。複数の投影画像は、被検体周りの複数の撮影方向とそれぞれ対応づけられて、記憶回路３３に記憶されてもよい。画像発生回路２５は、回転範囲内において発生された複数の投影画像に基づいて、ボリュームデータを再構成する。画像発生回路２５は、再構成したボリュームデータを記憶回路３３に出力する。
【０１４６】
なお、ボリュームデータの再構成は、図示していない画像再構成装置により実行されてもよい。画像再構成アルゴリズムとしては、ＦＢＰ（ｆｉｌｔｅｒｅｄ  ｂａｃｋ  ｐｒｏｊｅｃｔｉｏｎ）法やＣＢＰ（ｃｏｎｖｏｌｕｔｉｏｎ  ｂａｃｋ  ｐｒｏｊｅｃｔｉｏｎ）法等の解析学的画像再構成法や、ＭＬ−ＥＭ（ｍａｘｉｍｕｍ  ｌｉｋｅｌｉｈｏｏｄ  ｅｘｐｅｃｔａｔｉｏｎ  ｍａｘｉｍｉｚａｔｉｏｎ）法やＯＳ−ＥＭ（ｏｒｄｅｒｅｄ  ｓｕｂｓｅｔ  ｅｘｐｅｃｔａｔｉｏｎ  ｍａｘｉｍｉｚａｔｉｏｎ）法等の統計学的画像再構成法等の既存の画像再構成アルゴリズムが用いられればよい。
【０１４７】
画像再構成装置は、ハードウェア資源として、ＣＰＵやＭＰＵ、ＧＰＵ等の処理装置（プロセッサ）とＲＯＭやＲＡＭ等の記憶装置（メモリ）とを有する。また、画像再構成装置は、ＡＳＩＣやＦＰＧＡ、ＣＰＬＤ、ＳＰＬＤにより実現されても良い。当該処理装置は、当該記憶装置に保存されたプログラムを読み出して実行することで画像再構成機能を実現する。
【０１４８】
画像発生回路２５は、被検体Ｐに関するボリュームデータ（選択された過去のボリュームデータまたは再構成されたボリュームデータ）に基づいて、被検体Ｐに関する実測データを有する被検体モデル（実測画像）を、被検体画像として発生する。ボリュームデータが被検体Ｐの全身に亘る場合、発生された実測画像は、被検体全身に亘って実測データを有する被検体モデル（実測モデル）である。
【０１４９】
具体的には、画像発生回路２５は、種々のレンダリング処理を用いて、３次元的な実測データを有する実測モデルを発生する。このとき、３次元的な実測データとは、例えば、皮膚領域（輪郭、サイズ、外形）、Ｘ線に対する感受性が高い臓器（水晶体、甲状腺など）等を有する。
【０１５０】
なお、ボリュームデータが被検体Ｐの一部分である場合、画像発生回路２５は、ボリュームデータに最も適合する被検体モデルを選択する。ボリュームデータに最も適合する被検体モデルとは、例えば、一部分において、輪郭および形状が最も近い被検体モデルである。
【０１５１】
すなわち、選択された被検体モデルの形状および輪郭とボリュームデータの形状および輪郭とは、ボリュームデータに対応する被検体Ｐの一部領域において、最も類似する。被検体モデルの選択は、被検体モデルのデータとボリュームデータとの位置合わせ処理の後、例えば、類似度等の統計学的距離の計算により、実行される。
【０１５２】
次いで、画像発生回路２５は、選択した被検体モデルとボリュームデータとを用いて、３次元的な実測データを有する被検体画像（部分実測モデル）を発生する。具体的には、画像発生回路２５は、選択した被検体モデルにおいて、ボリュームデータに対応する被検体Ｐの一部分を除く他の部分を示す部分被検体モデルを抽出する。画像発生回路２５は、部分被検体モデルのデータとボリュームデータとを結合することにより、被検体モデルとボリュームデータとを結合した結合画像を、被検体画像（部分実測モデル）として発生する。
【０１５３】
画像発生回路２５は、実測モデルまたは部分実測モデルを、記憶回路３３、計算回路３５、検出回路３７、補正回路３９、ディスプレイ４１等に出力する。
【０１５４】
ディスプレイ４１は、実測画像の発生に応答して、予め表示された被検体画像を実測モデルに置換して表示する。ディスプレイ４１は、結合画像の発生に応答して、予め表示された被検体画像を部分実測モデルに置換して表示する。これにより、ボリュームデータに対応する被検体モデルの領域は、例えば、実測データによる皮膚領域として表示される。なお、ディスプレイ４１は、Ｘ線検査における線量表示機能の開始時点から、予め発生された実測モデルまたは部分実測モデルを、被検体画像として表示してもよい。
【０１５５】
検出回路３７は、ボリュームデータとＸ線画像とを用いて、位置ずれを検出してもよい。例えば、被検体Ｐに対するＸ線検査中においてボリューム撮影が実行された場合、検出回路３７は、再構成されたボリュームデータを用いて、位置ずれの有無を検出する。位置ずれの検出は、例えば、第１の実施形態、第１の変形例等に準拠する。
【０１５６】
補正回路３９は、ボリュームデータに基づいて、被検体モデル上における皮膚被曝線量の表示範囲と被検体画像との相対的な位置関係を補正する。例えば、補正回路３９は、Ｘ線画像における解剖学的標識点と実測画像（実測モデル）における解剖学的標識点とに基づいて、実測画像における皮膚曝線量の表示範囲と、実測画像との相対的な位置関係を補正する。補正回路３９は、Ｘ線画像における解剖学的標識点と結合画像（部分実測モデル）における解剖学的標識点とに基づいて、結合画像における皮膚曝線量の表示範囲と、結合画像との相対的な位置関係を補正する。
【０１５７】
計算回路３５は、実測画像（実測モデル）の発生に応答して、Ｘ線発生条件と、Ｘ線の照射範囲と、実測画像と、補正された位置関係と、天板２１に対するＸ線管１３の位置とに基づいて、被検体Ｐに対するＸ線の曝射開始時点から現時刻までの皮膚被曝線量を再計算する。計算回路３５は、結合画像（部分実測モデル）の発生に応答して、Ｘ線発生条件と、Ｘ線の照射範囲と、結合画像と、補正された位置関係と、天板２１に対するＸ線管１３の位置とに基づいて、被検体Ｐに対するＸ線の曝射開始時点から現時刻までの皮膚被曝線量を再計算する。
【０１５８】
すなわち、計算回路３５は、実測モデル（または部分実測モデル）の発生に応答して、Ｘ線検査における現時刻より過去のＸ線の曝射時点（または最初のＸ線の曝射時点）から現時刻までの期間に亘って、実測モデル（または部分実測モデル）と線量再計算情報とに基づいて、Ｘ線の曝射ごとの皮膚被曝線量と、皮膚被曝線量の表示範囲とを再計算する。なお、計算回路３５は、位置ずれの検出に応答して、補正された相対的な位置関係と、Ｘ線発生条件と、Ｘ線管１３の位置と、天板２１の位置と、実測モデルまたは部分実測モデルとに基づいて、位置ずれの検出に用いられたＸ線画像に関するＸ線の曝射に対応したＸ線線量と、実測モデルまたは部分実測モデル上でのＸ線の照射位置と計算する。
【０１５９】
計算回路３５は、再計算した皮膚被曝線量と、皮膚被曝線量の表示範囲とを、記憶回路３３とディスプレイ４１とに出力する。計算回路３５は、実測画像または結合画像の発生時以降のＸ線曝射において、再計算した皮膚被曝線量と、皮膚被曝線量の表示範囲と、実測モデルまたは部分実測モデルとを用いて、皮膚被曝線量および皮膚被曝線量の表示範囲を計算する。
【０１６０】
（線量再計算機能）  
本変形例に係る線量再計算機能とは、実測モデルまたは部分実測モデルの発生に応じて、Ｘ線検査の開始時点のＸ線の曝射から現時刻までの期間に亘って、Ｘ線の曝射ごとの皮膚被曝線量と、皮膚被曝線量の表示範囲とを再計算する機能である。以下、被検体Ｐに対するＸ線検査中において、Ｃアームを被検体周りに回転させてボリュームデータを発生した場合の線量再計算機能に係る処理（線量再計算処理）について説明する。
【０１６１】
図１０は、本変形例に係る線量再計算処理の手順の一例を示すフローチャートである。本変形例に係る線量再計算処理は、例えば、図６におけるフローチャートにおいてステップＳａ３の処理とステップＳａ８の処理の間であれば、任意に実行可能である。
【０１６２】
被検体Ｐに対するＸ線検査において、入力回路２９を介してボリューム撮影の指示が入力される。サポートフレーム（Ｃアーム）１７を被検体周りに回転させてＸ線撮影が実行され、複数の投影画像が発生される。複数の投影画像に基づいて、ボリュームデータが再構成される（ステップＳｃ１）。ボリュームデータに基づいて、ボリュームデータに最も適合する被検体モデルが選択される。
【０１６３】
このとき、選択された被検体モデルにおいて、ボリュームデータと重複しない非重複領域が特定される。被検体モデルにおける非重複領域とボリュームデータとに基づいて、ボリュームデータに対応する部分を実測データとして有する部分実測モデルが発生される（ステップＳｃ２）。
【０１６４】
Ｘ線検査における現時刻より過去のＸ線の曝射時点（または最初のＸ線曝射時点）から現時刻（ボリューム撮影の指示の入力時刻）までの線量再計算情報、すなわちＸ線検査におけるＸ線の曝射毎に皮膚被曝線量等の計算に用いられた情報が、記憶回路３３から読み出される（ステップＳｃ３）。部分実測モデルと線量再計算情報とに基づいて、Ｘ線曝射開始時点から現時刻までの皮膚被曝線量および皮膚被曝線量の表示範囲とが、Ｘ線の曝射毎に再計算される（ステップＳｃ４）。
【０１６５】
再計算された皮膚被曝線量が、部分実測モデルに重畳されて表示される。なお、被検体Ｐの過去のボリュームデータの選択指示が入力された場合には、ステップＳｃ２の処理以降の処理が実行される。このとき、ステップＳｃ２において、実測モデルが発生される。
【０１６６】
図１１は、ボリュームデータＳと、被検体モデルＴと、部分実測モデルＵとを示す図である。ボリュームデータＳは、被検体に対するボリューム撮影に伴って発生される。被検体モデルＴには、ボリューム撮影直前まで、皮膚被曝線量が重畳される。部分実測モデルＵは、ボリュームデータＳによる実測データＶを一部として有する。すなわち、本変形例によれば、被検体モデルにおいて、ボリューム撮影された被検体モデルの一部分に対して実測データが割り当てられる。
【０１６７】
以上に述べた構成によれば、以下の効果を得ることができる。  
本変形例に係るＸ線診断装置１によれば、ボリューム撮影指示の入力または過去のボリュームデータの選択指示に応じて、実測モデルまたは部分実測モデルを発生し、発生した実測モデルまたは部分実測モデルを用いて、Ｘ線曝射開始時点から現時刻までの皮膚被曝線量および皮膚被曝線量の表示範囲とが、Ｘ線の曝射毎に再計算される。
【０１６８】
これにより、本変形例に係るＸ線診断装置１によれば、線量表示機能に用いられる被検体モデルに関して、被検体Ｐのボリュームデータに基づいて、被検体Ｐの正確な外形（輪郭）に対応する実測モデルまたは部分実測モデルを発生することができる。加えて、実測モデルまたは部分実測モデルを用いて、皮膚被曝線量を再計算することができる。以上のことから、本変形例に係るＸ線診断装置１によれば、表示される皮膚被曝線量の精度を、過去に遡って向上させることができる。
【０１６９】
（第２の実施形態）  
第１の実施形態との相違は、複数の被検体モデルからＸ線検査中における被検体Ｐの外形に最も適合する被検体モデルを特定し、特定した被検体モデルを用いて皮膚被曝線量を再計算することにある。以下、図面を参照しながら第２の実施形態に係るＸ線診断装置を説明する。なお、以下の説明において、略同一の機能及び構成を有する構成要素については、同一符号を付し、重複説明は必要な場合に行う。
【０１７０】
図１２は、本実施形態に係るＸ線診断装置２に係る構成の一例を示す構成図である。  
記憶回路３３は、被検体画像として被検体を模式的に示す３次元的な複数の被検体モデルを記憶する。なお、記憶回路３３は、複数の患者各々に対応する過去のボリュームデータを記憶していてもよい。また、記憶回路３３は、被検体Ｐに対するボリューム撮影により再構成されたボリュームデータを記憶してもよい。
【０１７１】
検出回路３７は、ボリュームデータまたはＸ線画像において、被検体の外形（輪郭）を、例えばエッジ検出により検出する。検出回路３７は、検出した外形を特定回路３８に出力する。
【０１７２】
特定回路３８は、皮膚被曝線量を重畳した被検体モデルとＸ線画像とに基づいて、複数の被検体モデルから被検体の外形に整合する被検体モデルを被検体画像として特定する。具体的には、特定回路３８は、Ｘ線画像において検出された外形と、複数の被検体モデル各々の外形との位置合わせにより、複数の被検体モデルから被検体の外形に整合する被検体モデルを特定する。
【０１７３】
なお、特定回路３８は、入力回路２９を介した被検体モデルの変更指示に入力に基づいて、被検体モデルを特定してもよい。また、特定回路３８は、再構成されたボリュームデータまたは過去のボリュームデータを用いて、被検体モデルを特定してもよい。このとき、特定回路３８は、再構成されたボリュームデータにおいて検出された外形、または過去のボリュームデータにおいて検出された外形と、複数の被検体モデル各々の外形との位置合わせにより、複数の被検体モデルから被検体の外形に整合する被検体モデルを特定する。
【０１７４】
特定回路３８は、処理回路を有し、例えば、記憶回路３３から被検体モデルの特定に関するプログラムを読み出し、実行することで、読み出したプログラムに対応する機能を実現するプロセッサである。なお、上記説明においては、単一の処理回路において被検体モデルの特定に機能が実行されるものとして説明したが、複数の独立したプロセッサを組み合わせて処理回路を構成し、各プロセッサがプログラムを実行することにより各種機能を実現するものとしても構わない。
【０１７５】
上記説明において用いた「プロセッサ」という文言は、例えば、ＣＰＵ、ＧＰＵ、或いは、ＡＳＩＣ、ＳＰＬＤ、ＣＰＬＤ、及びＦＰＧＡ等の回路を意味する。なお、記憶回路３３にプログラムを保存する代わりに、プロセッサの回路内にプログラムを直接組み込むように構成しても構わない。この場合、プロセッサは、回路内に組み込まれたプログラムを読み出して実行することで、各種機能を実現する。
【０１７６】
また、上記被検体モデルの特定に関する機能は、広義には、皮膚被曝線量の表示範囲と被検体画像（被検体モデル）との相対的な位置関係の補正に相当するため、特定回路３８は、補正回路３９に組み込まれてもよい。また、本実施形態の各プロセッサ（計算回路３５、検出回路３７、特定回路３８、補正回路３９）は、プロセッサごとに単一の回路として構成される場合に限らず、複数の独立した回路を組み合わせて１つのプロセッサとして構成し、その各種機能を実現するようにしてもよい。更に、図２における複数の構成要素を１つのプロセッサ（図２の処理装置４４）へ統合してその機能を実現するようにしてもよい。
【０１７７】
計算回路３５は、被検体モデルの特定に応答して、特定された被検体モデルと、Ｘ線の照射範囲と、Ｘ線発生条件と、補正された位置関係と、天板２１に対するＸ線管１３の位置とに基づいて、Ｘ線検査における被検体に対するＸ線の曝射開始時点から現時刻までの皮膚被曝線量と、皮膚被曝線量の表示範囲とを再計算する。
【０１７８】
具体的には、計算回路３５は、被検体モデルの特定に応答して、Ｘ線検査における現時刻より過去のＸ線の曝射時点（または最初のＸ線の曝射時点）から現時刻までの期間に亘って、特定された被検体モデルと線量再計算情報とに基づいて、Ｘ線の曝射ごとの皮膚被曝線量と、皮膚被曝線量の表示範囲とを再計算する。計算回路３５は、再計算した皮膚被曝線量と、皮膚被曝線量の表示範囲とを、記憶回路３３とディスプレイ４１とに出力する。
【０１７９】
計算回路３５は、被検体モデルの特定以降のＸ線曝射において、再計算した皮膚被曝線量と、皮膚被曝線量の表示範囲と、特定した被検体モデルとを用いて、皮膚被曝線量および皮膚被曝線量の表示範囲を計算する。
【０１８０】
以上に述べた構成によれば、以下の効果を得ることができる。  
本実施形態に係るＸ線診断装置２によれば、操作者の指示、Ｘ線画像、ボリューム撮影により再構成されたボリュームデータ、または過去のボリュームデータに基づいて、複数の被検体モデルから被検体Ｐの外形に適合する被検体モデルを特定し、特定された被検体モデルと線量再計算情報とに基づいて、Ｘ線検査におけるＸ線の曝射開始時点から現時刻までの皮膚被曝線量と、皮膚被曝線量の表示範囲とを再計算することができる。以上のことから、本実施形態に係るＸ線診断装置２によれば、被検体の外形に最も適合する被検体モデルを特定でき、表示される皮膚被曝線量の精度を、過去に遡って向上させることができる。
【０１８１】
（第３の実施形態）  
第１の実施形態および第２の実施形態との相違は、被検体Ｐに対するＸ線検査の後に被検体Ｐに対してＸ線ＣＴ撮影が実行された場合において、Ｘ線ＣＴ撮影により再構成されたボリュームデータを用いて相対的な位置関係を補正し、補正した位置関係と線量再計算情報とに基づいて、皮膚被曝線量等を再計算することにある。
【０１８２】
本実施形態は、図１の点線で囲まれた複数の構成要素３または図１２の点線で囲まれた複数の構成要素４を有する医用画像処理装置である。なお、本実施形態は、図１の点線で囲まれた複数の構成要素３または図１２の点線で囲まれた構成要素４を有し、ボリュームデータを発生可能なＸ線ＣＴ装置、ＭＲＩ装置などの医用画像診断装置であってもよい。なお、以下の説明において、略同一の機能及び構成を有する構成要素については、同一符号を付し、重複説明は必要な場合に行う。
【０１８３】
入力回路２９は、皮膚被曝線量の再計算に関する指示（以下、再計算指示と呼ぶ）を入力する。入力回路２９は、再計算された皮膚被曝線量を動画表示させる指示（以下、動画表示指示と呼ぶ）を入力する。
【０１８４】
記憶回路３３は、Ｘ線検査後に被検体Ｐに対して実行されたＸ線ＣＴ撮影などに伴って再構成されたボリュームデータを記憶する。なお、本実施形態がＸ線ＣＴ装置である場合、ボリュームデータは、再構成装置から計算回路３５と検出回路３７と補正回路３９とに出力されてもよい。記憶回路３３は、被検体Ｐに対するＸ線検査に関して、Ｘ線発生条件と、Ｘ線の照射範囲と、天板２１に対するＸ線管１３の位置と、被検体モデル上における皮膚被曝線量の表示範囲と被検体モデルとの相対的な位置関係とを記憶する。
【０１８５】
制御回路３１は、再計算指示の入力に応答して、皮膚被曝線量等を再計算するために、計算回路３５、検出回路３７、補正回路３９等を制御する。制御回路３１は、動画表示指示の入力に応答して、再計算された皮膚被曝線量を動画表示するために、ディスプレイ４１を制御する。
【０１８６】
検出回路３７は、Ｘ線検査における複数のＸ線の曝射各々において、ボリュームデータを用いて位置ずれを検出する。具体的には、検出回路３７は、ボリュームデータと被検体モデルとを比較することにより、Ｘ線検査中におけるＸ線の複数の曝射各々において、被検体Ｐの動きによる位置ずれを検出する。検出回路３７は、検出した位置ずれを、Ｘ線の曝射時刻とともに、補正回路３９に出力する。
【０１８７】
補正回路３９は、ボリュームデータを用いて、Ｘ線検査中におけるＸ線の複数の曝射各々において、相対的な位置関係を補正する。例えば、補正回路３９は、ボリュームデータにおける解剖学的標識点と被検体モデルにおける解剖学的標識点とに基づいて、検出された位置ずれを低減させるために、被検体モデルにおける皮膚曝線量の表示範囲と被検体モデルとの相対的な位置関係を補正する。補正回路３９は、Ｘ線検査中におけるＸ線の複数の曝射各々において補正した相対的な位置関係を、計算回路３５に出力する。
【０１８８】
計算回路３５は、Ｘ線発生条件と、Ｘ線の照射範囲と、被検体モデルと、補正された位置関係と、天板２１に対するＸ線管１３の位置とに基づいて、Ｘ線検査におけるＸ線の最初の曝射から最後の曝射までの皮膚被曝線量と、皮膚被曝線量の表示範囲とを、Ｘ線検査が実行された期間に亘るＸ線の曝射毎に再計算する。計算回路３５は、再計算した皮膚被曝線量と、皮膚被曝線量の表示範囲とを、Ｘ線検査中におけるＸ線の曝射時刻とともに、記憶回路３３と、ディスプレイ４１とに出力する。
【０１８９】
ディスプレイ４１は、動画表示指示の入力に応答して、補正された位置関係を用いて、Ｘ線の曝射時刻に沿って、再計算された皮膚被曝線量を被検体モデルの表示範囲に重畳して動画表示する。
【０１９０】
（再計算動画表示機能）  
再計算動画表示機能とは、被検体Ｐに対するＸ線検査後にＸ線ＣＴ撮影に伴って再構成されたボリュームデータ等を用いてＸ線検査の期間に亘って皮膚被曝線量を再計算し、再計算した皮膚被曝線量を被検体モデル上に重畳して動画表示する機能である。以下、再計算動画表示機能に係る処理（以下、再計算動画処理と呼ぶ）について説明する。
【０１９１】
図１３は、再計算動画処理の手順の一例を示すフローチャートである。  
入力回路２９を介した操作者の指示により、再計算指示が入力される。記憶回路３３から、Ｘ線検査におけるＸ線発生条件と、Ｘ線の照射範囲と、皮膚被曝線量の表示範囲と被検体モデルとの相対的な位置関係と、天板２１に対するＸ線管１３の位置とが、読み出される（ステップＳｄ１）。
【０１９２】
Ｘ線ＣＴ装置における再構成装置等を介して再構成されたボリュームデータが、記憶回路３３から読み出される（ステップＳｄ２）。なお、本医用画像処理装置がＸ線ＣＴ装置またはＭＲＩ装置などに搭載されている場合、ステップＳｄ２の処理は、再構成装置によりボリュームデータが再構成される処理となる。
【０１９３】
Ｘ線検査における複数のＸ線の曝射各々において、ボリュームデータを用いて位置ずれが検出される（ステップＳｄ３）。位置ずれを低減させるために、ボリュームデータを用いて、相対的な位置関係が補正される（ステップＳｄ４）Ｘ線発生条件と照射範囲と、補正された位置関係と、天板２１に対するＸ線管１３の位置とに基づいて、皮膚被曝線量と皮膚被曝線量の表示範囲とがを、Ｘ線検査が実行された検査期間に亘って、Ｘ線の曝射毎に再計算される（ステップＳｄ５）。
【０１９４】
入力回路２９を介した操作者の指示により、動画表示指示が入力される。再計算された皮膚被曝線量を被検体モデル上に重畳させた動画が、検査期間に亘ってディスプレイ４１に表示される。
【０１９５】
以上に述べた構成によれば、以下の効果を得ることができる。  
本実施形態に係る医用画像処理装置または医用画像診断装置によれば、Ｘ線検査の後に取得されたボリュームデータ（例えば、Ｘ線ＣＴ装置またはＭＲＩ装置などにより再構成されたボリュームデータ）を用いて相対的な位置関係を補正し、補正した位置関係と線量再計算情報とに基づいて、皮膚被曝線量等を再計算することができる。これにより、本実施形態に係る医用画像処理装置または医用画像診断装置によれば、Ｘ線検査の後であっても、精度をより向上させた皮膚被曝線量を再計算して動画表示することができ、総被曝量の低減と局所被曝量の低減とに寄与することができる。
【０１９６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１９７】
１、２…Ｘ線診断装置（医用画像診断装置）、１１…高電圧発生器、１３…Ｘ線管、１４…Ｘ線の放射範囲、１５…Ｘ線検出器、１７…サポートフレーム、１９…照射野限定器、２１…天板、２３…駆動装置（駆動部）、２５…画像発生回路（画像発生部）、２６…データバス、２７…インターフェース（インターフェース部）、２９…入力回路（入力部）、３１…制御回路（制御部）、３３…記憶回路（記憶部）、３５…計算回路（計算部）、３７…検出回路（検出部）、３８…特定回路（特定部）、３９…補正回路（補正部）、４１…ディスプレイ（表示部）、４３…処理装置。
【図１】
2017023695.tif 000003
【図２】
2017023695.tif 000004
【図３】
2017023695.tif 000005
【図４】
2017023695.tif 000006
【図５】
2017023695.tif 000007
【図６】
2017023695.tif 000008
【図７】
2017023695.tif 000009
【図８】
2017023695.tif 000010
【図９】
2017023695.tif 000011
【図１０】
2017023695.tif 000012
【図１１】
2017023695.tif 000013
【図１２】
2017023695.tif 000014
【図１３】
2017023695.tif 000015